(57)【要約】キャリアアグリゲーション可能無線通信装置において無線周波数（ＲＦ）チェーンを管理する方法が提供されている。方法は、無線通信装置が第１のコンポーネントキャリアに関連付けられた第１のＲＦチェーンと、第２のコンポーネントキャリアに関連付けられた第２のＲＦチェーンとを使用して、ネットワークへの接続をサポートすることを含み得る。方法は、無線通信装置が第２のコンポーネントキャリアの不活性化をトリガするように構成された不活性化メッセージをフォーマットすることを更に含み得る。方法は、無線通信装置が不活性化メッセージを送信して第２のコンポーネントキャリアの不活性化をトリガすること更に含み得る。方法は、無線通信装置が、不活性化メッセージを送信した後で、第２のコンポーネントキャリアを介したネットワークへの接続をサポートする第２のＲＦチェーンの使用を中止することも含み得る。
2015526934.tif 000002
【特許請求の範囲】
【請求項１】
キャリアアグリゲーション可能無線通信装置において無線周波数（ＲＦ）チェーンを管理する方法であって、前記無線通信装置が、
第１のコンポーネントキャリアに関連付けられた第１のＲＦチェーンと、第２のコンポーネントキャリアに関連付けられた第２のＲＦチェーンとを使用して、キャリアアグリゲーション可能ロングタームエボリューション（ＬＴＥ）技術を実施するネットワークへの接続をサポートすることと、
前記第２のコンポーネントキャリアの不活性化をトリガするように構成された不活性化メッセージをフォーマットすることと、
前記不活性化メッセージを前記ネットワークに送信して、前記第２のコンポーネントキャリアの不活性化をトリガすることと、
前記不活性化メッセージを送信した後で、前記第２のコンポーネントキャリアを介した前記ネットワークへの前記接続をサポートする前記第２のＲＦチェーンの使用を中止することと、
を含む方法。
【請求項２】
前記不活性化メッセージをフォーマットすることが、前記第２のコンポーネントキャリアの不活性化指示を含むメディアアクセス制御（ＭＡＣ）制御要素（ＣＥ）をフォーマットすることを含む、請求項１に記載の方法。
【請求項３】
前記ＭＡＣ  ＣＥが、無線通信装置によってコンポーネントキャリア不活性化シグナリングとして指定された予約論理チャネルＩＤ（ＬＣＩＤ）を有するＭＡＣパケットデータユニット（ＰＤＵ）を含む、請求項２に記載の方法。
【請求項４】
前記不活性化メッセージが、不活性化要求メッセージを含み、前記無線通信装置が、
前記第２のコンポーネントキャリアを介した前記ネットワークへの前記接続をサポートする前記第２のＲＦチェーンの使用を中止する前に、前記ネットワークからの不活性化許可応答を待つことを更に含む、請求項１〜請求項３のいずれか１項に記載の方法。
【請求項５】
前記不活性化メッセージが、不活性化通知メッセージを含み、前記無線通信装置が、
前記第２のコンポーネントキャリアを介した前記ネットワークへの前記接続をサポートする前記第２のＲＦチェーンの使用を中止する前に、前記不活性化通知メッセージに応じて、前記ネットワークからの確認応答（ＡＣＫ）の受信を待つことを更に含む、請求項１〜請求項３のいずれか１項に記載の方法。
【請求項６】
前記無線通信装置が、前記第１のＲＦチェーンを使用して前記第１のコンポーネントキャリアを介した前記ネットワークへの前記接続をサポートしながら、前記ネットワークへの前記接続をサポートした前記第２のコンポーネントキャリアを介した通信以外の機能に前記第２のＲＦチェーンを再利用することを更に含む、請求項１〜請求項３のいずれか１項に記載の方法。
【請求項７】
前記第２のＲＦチェーンを再利用することが、前記第１のＲＦチェーンを使用して前記第１のコンポーネントキャリアを介した前記ネットワークへの前記接続をサポートしながら、前記第２のＲＦチェーンを使用して、第２のネットワーク上でページングメッセージを走査することを含む、請求項６に記載の方法。
【請求項８】
前記第２のＲＦチェーンを再利用することが、前記第１のＲＦチェーンを使用して前記第１のコンポーネントキャリアを介した前記ネットワークへの前記接続をサポートしながら、前記第２のＲＦチェーンを使用して前記ネットワークより高い優先度を有する公衆地上移動体通信網（ＰＬＭＮ）を走査することを含む、請求項６に記載の方法。
【請求項９】
前記第２のＲＦチェーンを再利用することが、前記第１のＲＦチェーンを使用して前記第１のコンポーネントキャリアを介した前記ネットワークのサービングセルへの接続を経てアクティブな通信セッションをサポートしながら、前記第２のＲＦチェーンを使用してターゲットセルの並列測定を実行することを含む、請求項６に記載の方法。
【請求項１０】
前記無線通信装置が、
前記サービングセルの信号品質が閾値信号品質未満に低下したことを判定することを更に含み、
前記不活性化メッセージを送信することと、前記第２のＲＦチェーンを使用して前記ターゲットセルの並列測定を実行することが、前記信号品質が前記閾値信号品質未満に低下したことに応じて実行される、請求項９に記載の方法。
【請求項１１】
前記第２のＲＦチェーンを再利用することが、前記第１のＲＦチェーンを使用して前記第１のコンポーネントキャリアを介した前記ネットワークのサービングセルへの接続を経てアクティブな通信セッションをサポートしながら、前記第２のＲＦチェーンを使用してターゲットセルの自律測定を実行し、前記ターゲットセルのシステム情報を取得することを含む、請求項６に記載の方法。
【請求項１２】
前記ターゲットセルが、閉加入者グループ（ＣＳＧ）セルである、請求項１１に記載の方法。
【請求項１３】
無線通信装置であって、
第１の無線周波数（ＲＦ）チェーンと、
第２のＲＦチェーンであって、前記第１のＲＦチェーン及び前記第２のＲＦチェーンが、キャリアアグリゲーションをサポートするように構成された、第２のＲＦチェーンと、
処理回路と、
を備え、前記処理回路は、
前記第１のＲＦチェーンを使用して、第１のコンポーネントキャリアを介した多重コンポーネント可能（ＭＣＣ）ネットワークへの接続をサポートし、
前記第２のＲＦチェーンを使用して、第２のコンポーネントキャリアを介した前記ＭＣＣネットワークへの前記接続をサポートし、
前記第２のコンポーネントキャリアの不活性化をトリガするように構成された不活性化メッセージをフォーマットし、
前記不活性化メッセージを前記ＭＣＣネットワークに送信して、前記第２のコンポーネントキャリアの不活性化をトリガし、
前記不活性化メッセージを送信した後で、前記第２のコンポーネントキャリアを介した前記ＭＣＣネットワークへの前記接続をサポートする前記第２のＲＦチェーンの使用を中止するように
前記無線通信装置を少なくとも制御するように構成された、無線通信装置。
【請求項１４】
前記不活性化メッセージが、前記第２のコンポーネントキャリアの不活性化指示を含むメディアアクセス制御（ＭＡＣ）制御要素（ＣＥ）を具備する、請求項１３に記載の無線通信装置。
【請求項１５】
前記処理回路が、前記第１のＲＦチェーンを使用して前記第１のコンポーネントキャリアを介した前記ＭＣＣネットワークへの前記接続をサポートしながら、前記ＭＣＣネットワークへの前記接続をサポートした前記第２のコンポーネントキャリアを介した通信以外の機能に前記第２のＲＦチェーンを再利用するように、前記無線通信装置を制御するように更に構成された、請求項１３〜請求項１４のいずれか１項に記載の無線通信装置。
【請求項１６】
キャリアアグリゲーション可能無線通信装置において無線周波数（ＲＦ）チェーンを管理するコンピュータプログラム製品であって、コンピュータプログラムコードを内部に記憶する、少なくとも１つの永続的コンピュータ可読記憶媒体を備え、前記コンピュータプログラムコードが、
第１のコンポーネントキャリアに関連付けられた第１のＲＦチェーンと、第２のコンポーネントキャリアに関連付けられた第２のＲＦチェーンとを使用して、多重コンポーネントキャリア可能（ＭＣＣ）ネットワークへの接続をサポートするためのプログラムコードと、
前記第２のコンポーネントキャリアの不活性化をトリガするように構成された不活性化メッセージをフォーマットするためのプログラムコードと、
前記不活性化メッセージを前記ＭＣＣネットワークに送信して前記第２のコンポーネントキャリアの不活性化をトリガするためのプログラムコードと、
前記不活性化メッセージを送信した後で、前記第２のコンポーネントキャリアを介した前記ＭＣＣネットワークへの前記接続をサポートする前記第２のＲＦチェーンの使用を中止するためのプログラムコードと、
を含む、コンピュータプログラム製品。
【請求項１７】
キャリアアグリゲーション可能無線通信装置において無線周波数（ＲＦ）チェーンを管理する装置であって、
第１のコンポーネントキャリアに関連付けられた第１のＲＦチェーンと、第２のコンポーネントキャリアに関連付けられた第２のＲＦチェーンとを使用して、多重コンポーネントキャリア可能（ＭＣＣ）ネットワークへの接続をサポートするための手段と、
前記第２のコンポーネントキャリアの不活性化をトリガするように構成された不活性化メッセージをフォーマットするための手段と、
前記不活性化メッセージを前記ＭＣＣネットワークに送信して前記第２のコンポーネントキャリアの不活性化をトリガするための手段と、
前記不活性化メッセージを送信した後で、前記第２のコンポーネントキャリアを介した前記ＭＣＣネットワークへの前記接続をサポートする前記第２のＲＦチェーンの使用を中止するための手段と
を備える装置。
【請求項１８】
前記不活性化メッセージをフォーマットする前記手段が、前記第２のコンポーネントキャリアの不活性化指示を含むメディアアクセス制御（ＭＡＣ）制御要素（ＣＥ）をフォーマットする手段を含む、請求項１７に記載の装置。
【請求項１９】
前ＭＡＣ  ＣＥが、無線通信装置によってコンポーネントキャリア不活性化シグナリングとして指定された予約論理チャネルＩＤ（ＬＣＩＤ）を有するＭＡＣパケットデータユニット（ＰＤＵ）を含む、請求項１８に記載の装置。
【請求項２０】
前記不活性化メッセージが、不活性化要求メッセージを含み、前記装置が、
前記第２のコンポーネントキャリアを介した前記ＭＣＣネットワークへの前記接続をサポートする前記第２のＲＦチェーンの使用を中止する前に、前記ＭＣＣネットワークからの不活性化許可応答を待つ手段を更に備える、請求項１７〜請求項１９のいずれか１項に記載の装置。
【請求項２１】
前記不活性化メッセージが、不活性化通知メッセージを含み、前記装置が、
前記第２のコンポーネントキャリアを介した前記ＭＣＣネットワークへの前記接続をサポートする前記第２のＲＦチェーンの使用を中止する前に、前記不活性化通知メッセージに応じて、前記ＭＣＣネットワークからの確認応答（ＡＣＫ）の受信を待つ手段を更に備える、請求項１７〜請求項１９のいずれか１項に記載の装置。
【請求項２２】
前記第１のＲＦチェーンを使用して前記第１のコンポーネントキャリアを介した前記ＭＣＣネットワークへの前記接続をサポートしながら、前記ＭＣＣネットワークへの前記接続をサポートした前記第２のコンポーネントキャリアを介した通信以外の機能に前記第２のＲＦチェーンを再利用する手段を更に備える、請求項１７〜請求項１９のいずれか１項に記載の装置。
【請求項２３】
前記第２のＲＦチェーンを再利用する前記手段が、前記第１のＲＦチェーンを使用して前記第１のコンポーネントキャリアを介した前記ＭＣＣネットワークへの前記接続をサポートしながら、前記第２のＲＦチェーンを使用して、第２のネットワーク上でページングメッセージを走査する手段を含む、請求項２２に記載の装置。
【請求項２４】
前記第２のＲＦチェーンを再利用する前記手段が、前記第１のＲＦチェーンを使用して前記第１のコンポーネントキャリアを介した前記ＭＣＣネットワークへの前記接続をサポートしながら、前記第２のＲＦチェーンを使用して前記ＭＣＣネットワークより高い優先度を有する公衆地上移動体通信網（ＰＬＭＮ）を走査する手段を含む、請求項２２に記載の装置。
【請求項２５】
前記第２のＲＦチェーンを再利用する前記手段が、前記第１のＲＦチェーンを使用して前記第１のコンポーネントキャリアを介した前記ＭＣＣネットワークのサービングセルへの接続を経てアクティブな通信セッションをサポートしながら、前記第２のＲＦチェーンを使用してターゲットセルの並列測定を実行する手段を含む、請求項２２に記載の装置。
【請求項２６】
前記サービングセルの信号品質が閾値信号品質未満に低下したことを判定する手段と、
前記不活性化メッセージを送信し、前記第２のＲＦチェーンを使用して前記信号品質が前記閾値信号品質未満に低下したことに応じて、前記ターゲットセルの並列測定を実行する手段と、
を更に備える、請求項２５に記載の装置。
【請求項２７】
前記第２のＲＦチェーンを再利用する前記手段が、前記第１のＲＦチェーンを使用して前記第１のコンポーネントキャリアを介した前記ＭＣＣネットワークのサービングセルへの接続を経てアクティブな通信セッションをサポートしながら、前記第２のＲＦチェーンを使用してターゲットセルの自律測定を実行し、前記ターゲットセルのシステム情報を取得する手段を含む、請求項２２に記載の装置。
【請求項２８】
前記ターゲットセルが、閉加入者グループ（ＣＳＧ）セルである、請求項２７に記載の装置。
【請求項２９】
キャリアアグリゲーション可能無線通信装置において無線周波数（ＲＦ）チェーンを再利用する方法であって、前記無線通信装置が、
第１のＲＦチェーンを使用してネットワークへの接続をサポートすることと、
再利用する第２のＲＦチェーンを選択することと、
前記第２のＲＦチェーンに関連付けられた活性セカンダリコンポーネントキャリアの存在の有無を判定することと、
前記第２のＲＦチェーンに関連付けられた活性セカンダリコンポーネントキャリアが存在すると判定された場合、不活性化メッセージを前記ネットワークに送信して、前記第２のＲＦチェーンを再利用する前に、前記第２のＲＦチェーンに関連付けられた前記活性セカンダリコンポーネントキャリアの不活性化をトリガすることと、
前記ネットワークへの前記接続をサポートするセカンダリコンポーネントキャリアを介した通信以外の機能に前記第２のＲＦチェーンを再利用することと、
を含む方法。
【請求項３０】
前記不活性化メッセージを送信することが、不活性化要求メッセージを前記ネットワークに送信することを含み、前記無線通信装置が、
前記第２のＲＦチェーンに関連付けられた活性セカンダリコンポーネントキャリアが存在すると判定された場合に、前記第２のＲＦチェーンを再利用する前に、前記ネットワークからの不活性化許可応答の受信を待つことを更に含む、請求項２９に記載の方法。
【請求項３１】
前記無線通信装置が、
前記第２のＲＦチェーンに関連付けられた活性セカンダリコンポーネントキャリアが存在すると判定された場合に、前記第２のＲＦチェーンを再利用する前に、前記不活性化メッセージに応じて、前記ネットワークからの確認応答（ＡＣＫ）の受信を待つことを更に含む、請求項２９に記載の方法。
【請求項３２】
前記不活性化メッセージを送信することが、前記第２のＲＦチェーンに関連付けられた前記セカンダリコンポーネントキャリアの不活性化指示を含むメディアアクセス制御（ＭＡＣ）制御要素（ＣＥ）を送信することを含む、請求項２９〜請求項３１のいずれか１項に記載の方法。
【請求項３３】
前記ＲＦチェーンに関連付けられた活性セカンダリコンポーネントキャリアの存在の有無を判定することが、前記ネットワークが、多重コンポーネントキャリア可能（ＭＣＣ）ネットワークであるかを判定することを含み、前記不活性化メッセージを送信することが、前記ネットワークがＭＣＣネットワークであると判定された場合にのみ前記不活性化メッセージを送信することを含む、請求項２９〜請求項３１のいずれか１項に記載の方法。
【請求項３４】
前記第２のＲＦチェーンを再利用することが、前記第１のＲＦチェーンを使用して前記ネットワークへの前記接続をサポートしながら、前記第２のＲＦチェーンを使用して、第２のネットワーク上でページングメッセージを走査することを含む、請求項２９〜請求項３１のいずれか１項に記載の方法。
【請求項３５】
前記第２のＲＦチェーンを再利用することが、前記第１のＲＦチェーンを使用して前記ネットワークへの前記接続をサポートしながら、前記第２のＲＦチェーンを使用して前記ネットワークより高い優先度を有する公衆地上移動体通信網（ＰＬＭＮ）を走査することを含む、請求項２９〜請求項３１に記載の方法。
【請求項３６】
前記第２のＲＦチェーンを再利用することが、前記第１のＲＦチェーンを使用して前記ネットワークのサービングセルへの接続を経てアクティブな通信セッションをサポートしながら、前記第２のＲＦチェーンを使用してターゲットセルの並列測定を実行することを含む、請求項２９〜請求項３１のいずれか１項に記載の方法。
【請求項３７】
前記第２のＲＦチェーンを使用して前記ターゲットセルの並列測定を実行することが、前記ネットワークの前記サービングセルの信号品質が閾値信号品質未満に低下したことに応じて実行される、請求項３６に記載の方法。
【請求項３８】
前記第２のＲＦチェーンを再利用することが、前記第１のＲＦチェーンを使用して前記ネットワークのサービングセルへの接続を経てアクティブな通信セッションをサポートしながら、前記第２のＲＦチェーンを使用してターゲットセルの自律測定を実行し、前記ターゲットセルのシステム情報を取得することを含む、請求項２９〜請求項３１のいずれか１項に記載の方法。
【請求項３９】
前記ターゲットセルが、閉加入者グループ（ＣＳＧ）セルである、請求項３８に記載の方法。
【請求項４０】
無線通信装置であって、
第１の無線周波数（ＲＦ）チェーンと、
第２のＲＦチェーンであって、前記第１のＲＦチェーン及び前記第２のＲＦチェーンが、キャリアアグリゲーションをサポートするように構成された、第２のＲＦチェーンと、
処理回路と、
を備え、前記処理回路は、
前記第１のＲＦチェーンを使用してネットワークへの接続をサポートし、
再利用する前記第２のＲＦチェーンを選択し、
前記の第２のＲＦチェーンに関連付けられた活性セカンダリコンポーネントキャリアの存在の有無を判定し、
前記第２のＲＦチェーンに関連付けられた活性セカンダリコンポーネントキャリアが存在すると判定された場合、不活性化メッセージを前記ネットワークに送信して、前記の第２のＲＦチェーンを再利用する前に、前記の第２のＲＦチェーンに関連付けられた前記活性セカンダリコンポーネントキャリアの不活性化をトリガし、
前記ネットワークへの前記接続をサポートするセカンダリコンポーネントキャリアを介した通信以外の機能に前記第２のＲＦチェーンを再利用するように
前記無線通信装置を少なくとも制御するように構成された、無線通信装置。
【請求項４１】
キャリアアグリゲーション可能無線通信装置において無線周波数（ＲＦ）チェーンを再利用するコンピュータプログラム製品であって、コンピュータプログラムコードを内部に記憶する、少なくとも１つの永続的コンピュータ可読記憶媒体を有し、前記コンピュータプログラムコードが、
第１のＲＦチェーンを使用してネットワークへの接続をサポートするプログラムコードと、
再利用する第２のＲＦチェーンを選択するプログラムコードと、
前記第２のＲＦチェーンに関連付けられた活性セカンダリコンポーネントキャリアの存在の有無を判定するプログラムコードと、
前記第２のＲＦチェーンに関連付けられた活性セカンダリコンポーネントキャリアが存在すると判定された場合、不活性化メッセージを前記ネットワークに送信して、前記第２のＲＦチェーンを再利用する前に、前記第２のＲＦチェーンに関連付けられた前記活性セカンダリコンポーネントキャリアの不活性化をトリガするプログラムコードと、
前記ネットワークへの前記接続をサポートするセカンダリコンポーネントキャリアを介した通信以外の機能に前記第２のＲＦチェーンを再利用するプログラムコードと、を含む、コンピュータプログラム製品。
【請求項４２】
キャリアアグリゲーション可能無線通信装置において無線周波数（ＲＦ）チェーンを再利用する装置であって、
第１のＲＦチェーンを使用してネットワークへの接続をサポートする手段と、
再利用する第２のＲＦチェーンを選択する手段と、
前記第２のＲＦチェーンに関連付けられた活性セカンダリコンポーネントキャリアの存在の有無を判定する手段と、
前記第２のＲＦチェーンに関連付けられた活性セカンダリコンポーネントキャリアが存在すると判定された場合、不活性化メッセージを前記ネットワークに送信して、前記第２のＲＦチェーンを再利用する前に、前記第２のＲＦチェーンに関連付けられた前記活性セカンダリコンポーネントキャリアの不活性化をトリガする手段と、
前記ネットワークへの前記接続をサポートするセカンダリコンポーネントキャリアを介した通信以外の機能に前記第２のＲＦチェーンを再利用する手段と、
を備える装置。
【請求項４３】
前記不活性化メッセージを送信する前記手段が、不活性化要求メッセージを前記ネットワークに送信する手段を含み、前記装置が、
前記第２のＲＦチェーンに関連付けられた活性セカンダリコンポーネントキャリアが存在すると判定された場合に、前記第２のＲＦチェーンを再利用する前に、前記ネットワークからの不活性化許可応答の受信を待つ手段を更に備える、請求項４２に記載の装置。
【請求項４４】
前記第２のＲＦチェーンに関連付けられた活性セカンダリコンポーネントキャリアが存在すると判定された場合に、前記第２のＲＦチェーンを再利用する前に、前記不活性化メッセージに応じて、前記ネットワークからの確認応答（ＡＣＫ）の受信を待つ手段を更に備える、請求項４２に記載の装置。
【請求項４５】
前記不活性化メッセージを送信する前記手段が、前記第２のＲＦチェーンに関連付けられた前記セカンダリコンポーネントキャリアの不活性化指示を含むメディアアクセス制御（ＭＡＣ）制御要素（ＣＥ）を送信する手段を含む、請求項４２〜請求項４４のいずれか１項に記載の装置。
【請求項４６】
前記ＲＦチェーンに関連付けられた活性セカンダリコンポーネントキャリアの存在の有無を判定する前記手段が、前記ネットワークが、多重コンポーネントキャリア可能（ＭＣＣ）ネットワークであるかを判定する手段を含み、前記不活性化メッセージを送信する前記手段が、前記ネットワークがＭＣＣネットワークであると判定された場合にのみ前記不活性化メッセージを送信する手段を含む、請求項４２〜請求項４４のいずれか１項に記載の装置。
【請求項４７】
前記第２のＲＦチェーンを再利用する前記手段が、前記第１のＲＦチェーンを使用して前記ネットワークへの前記接続をサポートしながら、前記第２のＲＦチェーンを使用して、第２のネットワーク上でページングメッセージを走査する手段を含む、請求項４２〜請求項４４のいずれか１項に記載の装置。
【請求項４８】
前記第２のＲＦチェーンを再利用する前記手段が、前記第１のＲＦチェーンを使用して前記ネットワークへの前記接続をサポートしながら、前記第２のＲＦチェーンを使用して前記ネットワークより高い優先度を有する公衆地上移動体通信網（ＰＬＭＮ）を走査する手段を含む、請求項４２〜請求項４４のいずれか１項に記載の装置。
【請求項４９】
前記第２のＲＦチェーンを再利用する前記手段が、前記第１のＲＦチェーンを使用して前記ネットワークのサービングセルへの接続を経てアクティブな通信セッションをサポートしながら、前記第２のＲＦチェーンを使用してターゲットセルの並列測定を実行する手段を含む、請求項４２〜請求項４４のいずれか１項に記載の装置。
【請求項５０】
前記第２のＲＦチェーンを使用して前記ターゲットセルの並列測定を実行する前記手段が、前記ネットワークの前記サービングセルの信号品質が閾値信号品質未満に低下したことに応じて、前記第２のＲＦチェーンを使用して前記ターゲットセルの並列測定を実行する手段を含む、請求項４９に記載の装置。
【請求項５１】
前記第２のＲＦチェーンを再利用する前記手段が、前記第１のＲＦチェーンを使用して前記ネットワークのサービングセルへの接続を経てアクティブな通信セッションをサポートしながら、前記第２のＲＦチェーンを使用してターゲットセルの自律測定を実行し、前記ターゲットセルのシステム情報を取得する手段を含む、請求項４２〜請求項４４のいずれか１項に記載の装置。
【請求項５２】
前記ターゲットセルが、閉加入者グループ（ＣＳＧ）セルである、請求項５１に記載の装置。
【発明の詳細な説明】
【技術分野】
【０００１】
記載されている実施形態は、全体的に、無線通信に関し、より詳細には、キャリアアグリゲーション可能無線通信装置における無線周波数（ＲＦ）チェーン管理に関する。
【背景技術】
【０００２】
最新無線通信装置は、進化を続けており、益々多くの機能を提供して、今や、事実上、無線ネットワークを介して様々なデータ集約サービスにアクセスするために消費者によって広範に利用されている。これに伴って、急速に増え続ける装置の数に対するデータ集約サービスのサポートを求めるネットワークへの要求が高まり、ネットワークオペレータは、データ容量の増大とより高速なデータレートをサポートできる改善されたネットワークの提供が要求されている。然るに、最新無線通信装置からのデータサービスの要求をサポートするために、無線ネットワークを介して送信されるデータのスループットを高める最新無線アクセス技術（ＲＡＴ）を開発する作業が続けられている。例えば、ロングタームエボリューション（ＬＴＥ）リリース１０及びそれ以降のバージョン、又は、ＬＴＥ−Ａｄｖａｎｃｅｄ（ＬＴＥ−Ａ）とも称される、一部の最新移動体通信ＲＡＴは、帯域幅を複数のコンポーネントキャリア（ＣＣ）の集約を通じて拡張し得る、キャリアアグリゲーションとして公知の技術をサポートしている。この点に関し、キャリアアグリゲーションは、単一のキャリアを使って装置とネットワーク間の通信をサポートするのではなく、無線通信装置とのデータ送信用の帯域幅が、データ送信を伝達する複数のＣＣを集約することによって増大できるように、複数のＣＣを平行して使用する。
【発明の概要】
【発明が解決しようとする課題】
【０００３】
ＬＴＥ−Ａシステムにおいて、各ＣＣは、ＬＴＥリリース８キャリア構造と後方互換性を有する。キャリアアグリゲーションは、連続スペクトルと不連続スペクトルの両方を使用することによってサポートし得る。この点に関し、キャリアアグリゲーションに使用するＣＣは、隣接周波数帯域を利用することができ、又は非隣接周波数帯域を利用できる。
【課題を解決するための手段】
【０００４】
本明細書で開示されているいくつかの例示的実施形態は、キャリアアグリゲーション可能無線通信装置におけるＲＦチェーン管理を提供する。この点に関し、いくつかの例示的な実施形態は、キャリアアグリゲーション可能ネットワーク（又は、多重コンポーネントキャリア可能（ＭＣＣ）ネットワークとも称する）に信号を送り、セカンダリコンポーネントキャリアの不活性化及び／又は活性化をトリガするように構成された無線通信装置を提供する。然るに、いくつかの例示的な実施形態に係る無線通信装置は、従来システムにおけるようにコンポーネントキャリアの活性化及び／又は不活性化の開始をネットワークに依存するのではなく、無線リソースの利用をより自発的に制御し得る。然るに、いくつかの例示的な実施形態に係る無線通信装置は、装置の電力消費を低減するため、又は他の理由で装置での帯域幅の必要性を変更に応じるなどの、装置が遭遇し得る動作条件の変化に適応するようにコンポーネントキャリアの活性化／不活性化を開始し得る。更にいくつかの例示的な実施形態は、ＲＦチェーンに関連付けられたセカンダリコンポーネントキャリアの不活性化を引き起こして、セカンダリコンポーネントキャリア上でのキャリアアグリゲーションをサポートする以外の機能に再利用するためにＲＦチェーンを開放するように構成し得る無線通信装置を提供する。
【０００５】
本概要は、単に、本発明のいくつかの態様の基本的な理解を供するためにいくつかの例示的実施形態を要約することを目的とする。したがって、上記の例示的実施形態は単に実施例であって、本発明の範囲又は趣旨をいかなる意味においても狭めると解釈されるべきでないことが理解されよう。本発明の他の実施形態、態様及び利点は、例として、記載されている実施形態の原理を例示する添付図と共に、下記の「発明を実施するための形態」から明らかとなるであろう。
【０００６】
説明される実施形態、及びその利点は、添付図面と併せて以下の説明を参照することによって、最も良好に理解することができる。これらの図面は必ずしも縮尺どおりに描画されておらず、説明される実施形態の趣旨及び範囲から逸脱することなく、当業者によって、説明される実施形態に実施することができる、形態及び詳細のいかなる変更も、決して限定するものではない。
【図面の簡単な説明】
【０００７】
【図１】いくつかの例示的実施形態に係るキャリアアグリゲーションの一例を示す図である。
【図２】いくつかの例示的実施形態に係る、例示的な送受信機アーキテクチャを示す図である。
【図３】いくつかの例示的な実施形態に係る無線通信システムを示す図である。
【図４】いくつかの例示的実施形態に係る、無線通信装置上に実装し得る装置のブロック図である。
【図５】いくつかの例示的実施形態に係る、コンポーネントキャリアを不活性化する例示的方法のフローチャートを示す。
【図６】いくつかの例示的実施形態に係る、コンポーネントキャリアを活性化する例示的方法のフローチャートを示す。
【図７】いくつかの例示的実施形態に係る、ＲＦチェーンを再利用する例示的方法のフローチャートを示す。
【図８】いくつかの例示的実施形態に係る、ＲＦチェーンをページングメッセージの走査に再利用する例示的方法のフローチャートを示す。
【図９】いくつかの例示的実施形態に係る、ＲＦチェーンを高優先度ネットワークの走査に再利用する例示的方法のフローチャートを示す。
【図１０】いくつかの例示的実施形態に係る、ＲＦチェーンを高優先度ネットワークの走査に再利用する別の例示的方法のフローチャートを示す。
【図１１】いくつかの例示的実施形態に係る、ＲＦチェーンを並列測定の実行に再利用する例示的方法のフローチャートを示す。
【図１２】いくつかの例示的実施形態に係る、ＲＦチェーンを並列測定の実行に再利用する別の例示的方法のフローチャートを示す。
【図１３】いくつかの例示的実施形態に係る、ＲＦチェーンを自律測定の実行に再利用する例示的方法のフローチャートを示す。
【図１４】いくつかの例示的実施形態に係る、ＲＦチェーンを自律測定の実行に再利用する別の例示的方法のフローチャートを示す。
【発明を実施するための形態】
【０００８】
上記のように、ＬＴＥ−Ａなどの一部の最新ＲＡＴ、及びかかるＲＡＴ上で動作するように構成された最新の無線通信装置は、装置とネットワークとの間の通信が、装置とネットワーク間の通信の利用可能な帯域幅を増加するように複数のコンポーネントキャリアを介して伝達できる、キャリアアグリゲーション技術をサポートしている。図１は、いくつかの例示的実施形態に係るキャリアアグリゲーションの一例を示す。図１の実施例は、周波数帯域Ａ  １０２と周波数帯域Ｂ  １０４内のコンポーネントキャリアを介した通信をサポートし得る。但し、コンポーネントキャリア＃１（１０６）、コンポーネントキャリア＃２（１１０）、及びコンポーネントキャリア＃３（１１０）は、周波数帯域Ａ  １０２内であり、コンポーネントキャリア＃４（１１２）は、周波数帯域Ｂ  １０４内である。然るに、所与のキャリアアグリゲーション構成において使用されるコンポーネントキャリアの組み合わせによって、キャリアアグリゲーションは、帯域内アグリゲーション及び／又は帯域間アグリゲーションを利用し得る。例えば、帯域内キャリアアグリゲーションは、連続コンポーネントキャリア＃２（１０８）及び＃３（１１０）を使用し得る。更に、又はあるいは、帯域内キャリアアグリゲーションは、不連続コンポーネントキャリア＃１（１００）及び＃３（１１０）上で発生し得る。更なる例として、帯域間キャリアアグリゲーションは周波数帯域Ａ  １０２でコンポーネントキャリア＃１（１０６）（及び／又は＃２（１０８）及び＃３（１１０）のうちの１つ以上）を、周波数帯域Ｂ  １０４でコンポーネントキャリア＃４（１１２）を使用できる。
【０００９】
キャリアアグリゲーションを使用できる無線通信装置は、複数の無線周波数（ＲＦ）チェーン又は無線リソースを実施して、キャリアアグリゲーションをサポートする。但し、キャリアアグリゲーションが装置上で活性化されると、無線通信装置は、装置に割り当てられた各コンポーネントキャリアについて個別のＲＦチェーンを使用できる。したがって、無線通信装置が使用するそれぞれの活性コンポーネントキャリアは、装置上のそれぞれのＲＦチェーンに関連付け得る。
【００１０】
キャリアアグリゲーションは、以前ではネットワーク起動型メディアアクセス制御（ＭＡＣ）シグナリングを介してのみ活性化及び不活性化されていた。例えば、既存のシステムにおいては、稼働中のデータサービスをサポートするために追加の帯域幅を必要としない場合、複数のＲＦチェーンを同時に使用すると装置の電力消費が増加するので、無線通信装置でのバッテリーを節約するために、ネットワークによってキャリアアグリゲーションを不活性化し得る。しかし、コンポーネントキャリアのネットワーク起動型の活性化／不活性化は、無線通信装置が経験し得る変化する状態に速やかに対応しうるだけの十分な自律性を無線通信装置に与えない。この点に関し、現在のシステムでは、無線通信装置は、ネットワークに信号を送りコンポーネントキャリアを活性化／不活性化することができず、代わりに、ネットワークがコンポーネントキャリアを活性化／不活性化するのを待たなければならない。しかし、この活性化／不活性化が発生するのに好ましい状態の発生後かなりの時間が経過する場合がある。いくつかの例示的な実施形態は、無線通信装置にコンポーネントキャリアの活性化／不活性化をトリガする高速メカニズムを備えることによってこの問題に対応している。いくつかの例示的な実施形態は、コンポーネントキャリアを介した通信以外の機能に対してコンポーネントキャリアを不活性化することによって利用できるＲＦチェーンを再利用するように構成され得る無線通信装置を、更に提供している。
【００１１】
図２は、いくつかの例示的実施形態に係る、キャリアアグリゲーション可能無線通信装置に実装し得る例示的送受信機アーキテクチャを示す。図２に示されるように、キャリアアグリゲーション可能無線通信装置上の送受信機は、それぞれのコンポーネントキャリア（ＣＣ）をサポートするために使用できる複数のＲＦチェーンを含み得る。例えば、第１のＲＦチェーンは、ＣＣ１用に使用でき、第２のＲＦチェーンは、ＣＣ２用に、第ｎ番目のＲＦチェーンはＣＣｎ用に使用できる。この点に関し、いくつかの例示的実施形態に係る送受信機アーキテクチャは、少なくとも、装置及び／又はネットワークの仕様に従って集約し得る数のＣＣに対応する数のＲＦチェーンを含み得る。例えば、いくつかのＬＴＥ−Ａシステムは、５個までのＣＣの集約をサポートしており、かかるＬＴＥ−Ａシステム上で動作するように構成された装置の送受信機構成は、５個のＣＣの使用をサポートする少なくとも５個のＲＦチェーンを含み得る。しかし、様々な例示的実施形態に係るキャリアアグリゲーション可能無線通信装置は、少なくとも２である、任意の数ｎ個のＲＦチェーンを含み得ることが理解されよう。
【００１２】
図２に示される例示的アーキテクチャにおいて、各ＲＦチェーンは、ＲＦ帯域フィルタ２０２、ＲＦフロントエンド２０４、アナログ・デジタル変換器（ＡＤＣ）を含み得る。この点に関し、第１のＲＦチェーンは、ＲＦ帯域フィルタ２０２ａと、ＲＦフロントエンド２０４ａと、ＡＤＣ２０６ａとを含み得、第２のＲＦチェーンは、ＲＦ帯域フィルタ２０２ｂと、ＲＦフロントエンド２０４ｂと、ＡＤＣ２０６ｂとを含み得、第ｎ番目のＲＦチェーンは、ＲＦ帯域フィルタ２０２ｃと、ＲＦフロントエンド２０４ｃと、ＡＤＣ２０６ｃとを含み得る。但し、図２に示されるＲＦチェーンアーキテクチャは、例として例示されたものであって、限定するものではないことが理解されよう。この点に関し、様々な例示的実施形態に係るＲＦチェーンは、図２に示される要素に対する追加的及び／又は代替的要素を含み得る。図１の例示的アーキテクチャにおいて、各ＲＦチェーンは、デジタル信号プロセッサ（ＤＳＰ）２０８に入り得る。
【００１３】
図３は、いくつかの例示的実施形態を適用し得る無線通信システム３００を示す。この点に関し、図３は、無線通信装置３０２と、１つ以上の無線リンクを介して無線通信装置３０２にネットワークアクセスし得るサービング基地局３０４とを有する無線移動体通信アクセスネットワークを示す。限定されない例として、無線通信装置３０２は、スマートフォン装置などのセルラー電話、タブレットコンピュータ装置、ラップトップコンピュータ装置、又は、サービング基地局３０４を介して移動体通信ネットワーク及び／又は他の無線ネットワークにアクセスするように構成された他のコンピュータ装置であり得る。システム３００がＬＴＥ技術を実施している実施形態などのいくつかの実施形態において、無線通信装置３０２は、ユーザ機器（ＵＥ）装置であり得る。サービング基地局３０４は、進化型ノードＢ（ｅＮＢ）、ノードＢ、無線基地局装置（ＢＴＳ）、及び／又は任意の他のタイプの基地局などの、任意の移動体通信基地局であり得る。
【００１４】
システム３００の無線アクセスネットワークは、限定されない例として、ＬＴＥ、ＬＴＥ−Ａｄｖａｎｃｅｄ（ＬＴＥ−Ａ）、及び／又は他のキャリアアグリゲーション可能ＬＴＥ  ＲＡＴ（例えば、ＬＴＥリリース１０又は最新のＬＴＥ  ＲＡＴ）などのＬＴＥ  ＲＡＴを含むキャリアアグリゲーション技術をサポートし得る任意のＲＡＴを実施した、キャリアアグリゲーション可能ネットワークであり得る。しかし、本明細書で開示されている実施形態は、ＬＴＥシステム内の適用に限定されず、現在又は将来に開発されるであろう、キャリアアグリゲーションをサポートするＲＡＴに適用し得ることが理解されよう。更に、いくつかの例示的な実施形態は、キャリアアグリゲーション技術を実施し得る非移動体通信無線ＲＡＴに適用し得ることが理解されよう。したがって、例えば、任意のかかるＲＡＴにかかわる無線ネットワークアクセスポイントは、本開示の範囲内において、サービング基地局３０４に代用され得ることが理解されよう。更に、様々な実施形態が、例として、ＬＴＥ及び／又は他のＲＡＴに適用されることが考察されたが、かかる実施例は、いくつかの例示的実施形態の適用の限定されない実施例として提供されたものであって、かかる技術は、本開示の範囲内においてキャリアアグリゲーション技術を使用した別のＲＡＴに適用し得ることが理解されよう。
【００１５】
無線通信装置３０２は、キャリアアグリゲーションをサポートする複数のＲＦチェーンを含み得る。この点に関し、無線通信装置３０２は、例えば、図２に示されているような送受信機アーキテクチャを含み得る。キャリアアグリゲーションが無線通信装置３０２上で活性化されると、無線通信装置３０２は複数のＲＦチェーンを同時に使用して複数のコンポーネントキャリアの集約をサポートし得る。各コンポーネントキャリアは、個別のサービングセルに対応し得る。いくつかの場合、無線通信装置３０２が使用できる各コンポーネントキャリアは、サービング基地局３０４によってサポートされ得る。但し、サービング基地局３０４は、いくつかの例示的実施形態において、複数の同一場所に配置されたセルをサポートし得る。しかし、いくつかの場合、無線通信装置３０２が使用できる１つ以上のコンポーネントキャリアは、システム３００の無線アクセスネットワーク内に配設され得る１つ以上の更なる基地局によってサポートされ得る。
【００１６】
プライマリコンポーネントキャリアがサービスし得る、無線通信装置３０２の無線リソース制御（ＲＲＣ）接続は、プライマリサービングセルによって処理され得る。プライマリコンポーネントキャリアの専用となり得る、無線通信装置３０２上のＲＦチェーンは、プライマリＲＦチェーンと称する場合がある。キャリアアグリゲーションが活性化された時に無線通信装置３０２が使用する更なるコンポ−ネントキャリアをセカンダリコンポーネントキャリアと称することがあり、活性化されたセカンダリコンポーネントキャリアの専用になり得る無線通信装置３０２上のＲＦチェーンをセカンダリＲＦチェーンと称する場合がある。
【００１７】
図４は、いくつかの例示的実施形態に係る、無線通信装置３０２上に実装し得る装置４００のブロック図を示す。但し、無線通信装置３０２などのコンピュータ装置上に実装された時、装置４００は、コンピュータ装置が１つ以上の例示的実施形態に係るシステム３００内で動作することを可能にし得る。図４で図示され、図４に関して説明される構成要素、機器又は要素は、必須ではなく、したがって、一部は、特定の実施形態において省略できることが理解されよう。更に、いくつかの実施形態は、図４で図示され、図４に関して説明される構成要素、機器又は要素以外の異なるこれらの物を、更に含み得る。
【００１８】
いくつかの例示的実施形態において、装置４００は、本明細書で開示される１つ以上の例示的実施形態に係る動作を実行するように構成可能な処理回路４１０を含み得る。この点に関し、処理回路４１０は、様々な例示的実施形態に係る装置４００の１つ以上の機能を実行及び／又はその実行を制御するように構成でき、したがって、様々な例示的実施形態に係る装置４００の機能を実行する手段を提供し得る。処理回路４１０は、１つ以上の例示的実施形態に係るデータ処理、アプリケーション実行及び／又は他の処理、並びに管理サービスを実行するように構成し得る。
【００１９】
いくつかの実施形態において、処理回路４１０などの装置４００若しくはその一部分又はその構成要素は、それぞれ１つ以上のチップ含み得る、１つ以上のチップセットを含み得る。処理回路４１０及び／又は装置４００の１つ以上の構成要素は、したがって、いくつかの場合、単一チップセット上で一実施形態を実装するように構成し得る。装置４００の１つ以上の構成要素がチップセットとして具体化されるいくつかの例示的実施形態において、チップセットは、コンピュータ装置上に実装された時、又はコンピュータ装置と動作可能に連結されている時に、コンピュータ装置がシステム３００内で動作することを可能にし得る。いくつかの例示的実施形態において、装置４００は、無線通信装置３０２などのコンピュータ装置が１つ以上の移動体通信ネットワーク上で動作することを可能にするように構成され得る移動体通信チップセットを含み得る。
【００２０】
いくつかの実施形態において、処理回路４１０は、プロセッサ４１２を含み得、図３に示すようないくつかの実施形態において、メモリ４１４を、更に含み得る。処理回路４１０は、送受信機４１６及び／若しくはＲＦチェーンコントローラ４１８と通信でき、又は制御し得る。
【００２１】
プロセッサ４１２は、様々な形で例示できる。例えば、プロセッサ４１２は、マイクロプロセッサ、コプロセッサ、コントローラ、若しくは、様々な他のコンピュータ、又は、例えば、ＡＳＩＣ（特定用途向け集積回路）、ＦＰＧＡ（フィールドプログラマブルゲートアレイ）、いくつかのこれらの組み合わせ等などの集積回路を含む処理装置などの、様々なハードウェアを主体とした処理手段として具体化し得る。単一プロセッサとして図示されるが、プロセッサ４１２は、複数のプロセッサを備えることが理解されよう。複数のプロセッサは、互いに動作通信が可能で、本明細書に記載されているように装置４００の１つ以上の機能を実行するように一括して構成し得る。いくつかの実施形態において、プロセッサ４１２は、メモリ４１４に記憶できる命令又はそうでなければプロセッサ４１２にアクセスできる命令を実行するように構成できる。このように、ハードウェア又はハードウェア及びソフトウェアの組み合わせによって構成されるかどうかにかかわらず、プロセッサ４１２は、然るべく構成することによって、様々な実施形態における動作を実行できる。
【００２２】
いくつかの実施形態において、メモリ４１４は、１つ以上のメモリ機器を含み得る。メモリ４１４は、固定型及び／又は着脱式メモリ機器を含み得る。いくつかの実施形態において、メモリ４１４は、プロセッサ４１２によって実行できるコンピュータプログラム命令を記憶できる永続的コンピュータ可読記憶媒体を提供できる。この点に関し、メモリ４１４は、装置４００が１つ以上の例示的実施形態に係る様々な機能を実行することを可能にする情報、データ、アプリケーション、命令等を記憶するように構成し得る。いくつかの実施形態において、メモリ４１４は、装置４００の構成要素間で情報を渡すために、バスを介して、プロセッサ４１２、送受信機４１６、又はＲＦチェーンコントローラ４１８のうちの１つ以上と通信し得る。
【００２３】
装置４００は、１つ以上の送受信機４１６を、更に含み得る。送受信機４１６は、装置４００が、１つ以上の無線ネットワークと無線信号を送受信することを可能にし得る。したがって、例えば、無線通信装置３０２上に実装された時、送受信機４１６は、１つ以上のコンポーネントキャリアを介して、サービング基地局３０４などの１つ以上の基地局への接続をサポートするように構成し得る。送受信機４１６は、キャリアアグリゲーションをサポートする２つ以上のＲＦチェーンを含み得る。いくつかの例示的実施形態において、送受信機４１６は、図２に示されるようなアーキテクチャを介して少なくとも部分的に実装され得る。いくつかの例示的実施形態において、ＲＦチェーンは、単一チップ上で実施され得る。あるいは、いくつかの例示的実施形態において、ＲＦチェーンは、互いに動作通信可能で、送受信機４１６の機能を一括して提供し得る、複数のチップに跨って分散し得る。送受信機４１６は、少なくとも２である任意の数ｎ個のＲＦチェーンを含み得る。いくつかの例示的実施形態における送受信機４１６に含まれるＲＦチェーンの数は、装置４００及び／又はサービングネットワークが、集約のためにサポートするように構成され得るコンポーネントキャリアの数に対応し得る。しかし、いくつかの例示的実施形態において、装置４００は、サービングネットワークの機能に従って集約され得るコンポーネントキャリアの対応する数を上回る、追加のＲＦチェーン、又は下回るＲＦチェーンを含み得ることが理解されよう。
【００２４】
装置４００は、ＲＦチェーンコントローラ４１８を、更に含み得る。ＲＦチェーンコントローラ４１８は、回路、ハードウェア、コンピュータ可読媒体（例えば、メモリ４１４）に記憶され、処理装置（例えば、プロセッサ４１２）によって実行されるコンピュータ可読プログラム命令を含むコンピュータプログラムプロダクト、又はこれらの組み合わせなどの、様々な手段として具体化され得る。いくつかの実施形態において、プロセッサ４１２（又は、処理回路４１０）は、ＲＦチェーンコントローラ４１８を含むか、又は、制御し得る。ＲＦチェーンコントローラ４１８は、サービングネットワークと通信して、ＲＦチェーンに関連付けられたコンポーネントキャリアの活性化／不活性化をトリガし、以下で更に説明されているように、送受信機４１６によって実施されるＲＦチェーンの動作を制御するように構成され得る。
【００２５】
装置トリガ型のコンポーネントキャリアの活性化／不活性化
いくつかの例示的実施形態のＲＦチェーンコントローラ４１８は、メッセージをフォーマットしてサービング基地局３０４などのサービングネットワークに送信して、コンポーネントキャリアの活性化／不活性化をトリガするように構成され得る。サービングネットワークは、無線通信装置から受信したメッセージに指示されたコンポーネントキャリアを活性化／不活性化することによって、かかるメッセージに対して応答するように構成され得る。
【００２６】
この点に関して、いくつかの例示的実施形態は、いくつかの例示的実施形態の無線通信装置が、コンポーネントキャリアを活性化／不活性化するためのネットワーク起動型の信号を待つ必要がないように、コンポーネントキャリアの装置起動型の活性化／不活性化を提供する。したがって、ＲＦチェーンコントローラ４１８は、無線通信装置が経験する変化する条件に対応して、条件に値するコンポーネントキャリアの活性化／不活性化をトリガし得る。したがって、例えば、無線通信装置の帯域幅の必要性によって別のコンポーネントキャリアを活性化する必要がある場合、ＲＦチェーンコントローラ４１８は、キャリア活性化要求メッセージを送信してコンポーネントキャリアの活性化をトリガし得る。更なる例として、ＲＦチェーンコントローラ４１９は、装置の帯域幅の必要性が起動されるべきセカンダリコンポーネントキャリアの必要性をサポートしない場合、又は／及び装置が経験する条件がその他値する時に、ネットワークに不活性化メッセージを送信して、コンポーネントキャリアの不活性化をトリガし、ＲＦチェーンを不活性化して装置の電力を節約し、キャリアアグリゲーション以外の機能に再利用するためにＲＦチェーンを開放することが可能である。
【００２７】
ＲＦチェーンコントローラ４１８がフォーマット化し、送信できる不活性化メッセージは、ネットワークが理解できる任意のフォーマットを有し得る。いくつかの例示的実施形態の不活性化メッセージは、不活性化するコンポーネントキャリアの指示を含み得る。いくつかの例示的実施形態において、不活性化メッセージは、特定のコンポーネントキャリアのキャリア不活性化指示を含むメディアアクセス制御（ＭＡＣ）制御要素（ＣＥ）であり得る。しかし、無線通信装置とサービングネットワークとの間の通信に使用し得る他のタイプのメッセージ及び他のシグナリング層が本開示の範囲内で想到されることが理解されよう。
【００２８】
不活性化メッセージがＭＡＣ  ＣＥであるいくつかの実施形態において、不活性化通知ＭＡＣ制御要素ＣＥは、ＭＡＣプロトコルデータユニット（ＰＤＵ）によって特定され得る。限定されない例として、ＬＴＥ−Ａネットワークにおいて、予約された論理チャネルＩＤ（ＬＣＩＤ）を有するＭＡＣ  ＰＤＵサブヘッダーは、以下に指定のように使用し得る。
【００２９】
【表１】
2015526934.tif 000003
【００３０】
インデックス ＬＣＩＤ値
０００００ ＣＣＣＨ
００００１−００１０１０ 論理チャネルの特定
０１０１１−１１０００ 予備
１０１１０ 不活性化通知
１０１１１ 活性化要求
１１００１ 拡張電力ヘッドルーム報告
１１０１０ 電力ヘッドルーム報告
１１０１１ Ｃ−ＲＮＴＩ
１１１００ 切頭ＢＳＲ
１１１０１ 短ＢＳＲ
１１１１０ 長ＢＳＲ
１１１１１ パディング
ＭＡＣ  ＣＥは、固定のサイズを有し、例えば、７ビットＣフィールド及び１ビットＲフィールドを含む単一オクテットから構成され得る。制御要素は、以下のように定義し得る。Ｃｉ：ＳＣｅｌｌＩｎｄｅｘ  ｉで構成されるセカンダリセル（ＳＣｅｌｌ）（又は、セカンダリキャリアコンポーネント（ＣＣ））が存在する場合、このフィールドを使用して、ＳＣｅｌｌＩｎｄｅｘ  ｉを有するＳＣｅｌｌの不活性化通知を指示し得る。このＣｉフィールドを１に設定して、ＳＣｅｌｌＩｎｄｅｘ  ｉを有するＳＣｅｌｌが不活性化されることを通知し得る。かかる実施形態において、「０」に設定されたＣｉフィールドはネットワークによって無視され得る。Ｒ：予約ビットであって、「０」に設定し得る。不活性化ＭＡＣ  ＣＥを送信した後で、ＲＦチェーンコントローラ４１８は、ｋサブフレーム内で、ＳＣｅｌｌを不活性化するように構成され得る。値ｋは、例えば、８サブフレームであり得る。但し、他の値のｋも使用できることが理解されよう。
【００３１】
いくつかの例示的実施形態の不活性化メッセージは、ネットワークがコンポーネントキャリアを不活性化することを要求する不活性化要求メッセージであり得る。かかる例示的な実施形態において、ＲＦチェーンコントローラ４１８は、キャリアアグリゲーションの要求対象であるセカンダリコンポーネントキャリアに関連付けられたＲＦチェーンの使用を中止する前に、不活性化許可応答を待機し得る。ネットワークがコンポーネントキャリアを不活性化する要求を承諾しない場合、ＲＦチェーンコントローラ４１８は、コンポーネントキャリアに関連付けられたＲＦチェーンの使用を継続して、コンポーネントキャリアを介したネットワーク接続をサポートし得る。かかる例示的な実施形態において、ネットワークが、コンポーネントキャリアを不活性化する要求を承諾するか拒否するかを決定し得るので、コンポーネントキャリアの不活性化が無線通信装置によって起動され得る時に、コンポーネントの不活性化についての制御は、ネットワーク内に残り得る。
【００３２】
いくつかの例示的実施形態の不活性化メッセージは、その代わりとして、不活性化通知メッセージであり得る。かかる例示的実施形態において、ネットワークは、無線通信装置との通信についての不活性化通知メッセージで特定されたコンポーネントキャリアの使用を中止することによって不活性化通知メッセージに応答するように構成され得る。かかる例示的実施形態において、かかる例示的実施形態の無線通信装置はコンポーネントキャリアの不活性化についてネットワークの許可に依存しないので、無線通信装置は、コンポーネントキャリアの不活性化についてより大きな自律を有し得る。かかる例示的実施形態において、ＲＦチェーンコントローラ４１８は、不活性化通知メッセージがネットワークにより受信された旨のネットワークからの確認応答（ＡＣＫ）を待つことなく、メッセージを送信した後で、キャリアアグリゲーションによって不活性化されたコンポーネントキャリアに関連付けられたＲＦチェーンの使用を中止し得る。あるいは、いくつかのかかる例示的実施形態において、ＲＦチェーンコントローラ４１８は、不活性化対象のコンポーネントキャリアを介したネットワークへの接続をサポートするＲＦチェーンの使用を中止する前に、不活性化通知メッセージの受信を確認応答するネットワークからのＡＣＫの受信を待つことができる。
【００３３】
ＲＦチェーンコントローラ４１８がフォーマット化し、送信できるキャリア活性化要求メッセージは、ネットワークが理解できる任意のフォーマットを有し得る。いくつかの例示的実施形態のキャリア活性化要求メッセージは、不活性化対象のコンポーネントキャリアの指示を含み得る。いくつかの例示的実施形態において、キャリア活性化要求メッセージは、特定のコンポーネントキャリアのキャリア活性化指示を含むメディアアクセス制御（ＭＡＣ）制御要素（ＣＥ）であり得る。しかし、無線通信装置とサービングネットワークとの間の通信に使用し得る他のタイプのメッセージ及び他のシグナリング層が本開示の範囲内で想到されることが理解されよう。
【００３４】
キャリア活性化要求メッセージがＭＡＣ  ＣＥであるいくつかの実施形態において、活性化要求ＭＡＣ制御要素ＣＥは、例示的な不活性化通知ＭＡＣ  ＣＥに関して上述されているようにＬＣＩＤを有するＭＡＣプロトコルデータユニット（ＰＤＵ）によって特定され得る。Ｃｉ：ＳＣｅｌｌＩｎｄｅｘ  ｉで構成されるＳＣｅｌｌ（即ち、セカンダリキャリアコンポーネントＣＣ）が存在する場合、このフィールドは、ＳＣｅｌｌＩｎｄｅｘ  ｉを有するＳＣｅｌｌの活性化要求を指示し得る。Ｃｉフィールドを、「１」に設定して、ＳＣｅｌｌＩｎｄｅｘ  ｉを有するＳＣｅｌｌを活性化することが要求されていることを通知し得る。「０」に設定されたＣｉフィールドはネットワークによって無視され得る。Ｒ：予約ビットであって、「０」に設定し得る。
【００３５】
図５は、いくつかの例示的実施形態に係る、コンポーネントキャリアを不活性化する例示的方法のフローチャートを示す。この点に関し、図５は、いくつかの例示的実施形態に係る少なくとも２個のＲＦチェーンを有する無線通信装置３０２などのキャリアアグリゲーション可能無線通信装置により実行し得る動作を示す。処理回路４１０、プロセッサ４１２、メモリ４１４、送受信機４１６、又はＲＦチェーンコントローラ４１８のうちの１つ以上が、例えば、図５で示され、図５に関連して説明されている動作を実行する手段を提供し得る。
【００３６】
動作５００は、無線通信装置３０２が、第１のコンポーネントキャリアに関連付けられた第１のＲＦチェーンと、第２のコンポーネントキャリアに関連付けられた第２のＲＦチェーンとを使用して、キャリアアグリゲーション可能ネットワークへの接続をサポートすることを含み得る。第１のコンポーネントキャリアは、プライマリコンポーネントキャリアであってもよいし、セカンダリコンポーネントキャリアであってもよい。第２のコンポーネントキャリアは、セカンダリコンポーネントキャリアであり得る。
【００３７】
動作５１０は、無線通信装置３０２が第２のコンポーネントキャリアの不活性化をトリガするように構成された不活性化メッセージをフォーマットすることを含み得る。不活性化メッセージは、不活性化対象のコンポーネントキャリアをネットワークに知らせる第２のコンポーネントキャリアの指示を含み得る。無線通信装置３０２が、不活性化をトリガし、ネットワークの許可なしにコンポーネントキャリアの使用を中止できる実施形態において、不活性化メッセージは、例えば、不活性化通知メッセージであり得る。無線通信装置３０２が、ネットワークの許可を待ってコンポーネントキャリアの使用を中止する実施形態において、不活性化メッセージは、不活性化要求メッセージであり得る。不活性化メッセージは、例えば、上記の実施例において説明されているような第２のコンポーネントキャリアの不活性化指示を含むＭＡＣ  ＣＥであり得る。
【００３８】
動作５２０は、無線通信装置３０２が不活性化メッセージをネットワークに送信して第２のコンポーネントキャリアの不活性化をトリガすることを含み得る。動作５３０は、無線通信装置３０２が不活性化メッセージを送信した後で、第２のコンポーネントキャリアを介したネットワークへの接続をサポートする第２のＲＦチェーンの使用を中止することを含み得る。
【００３９】
動作５２０で送信された不活性化メッセージが不活性化要求メッセージである実施形態において、無線通信装置３０２は、動作５３０を実行する前にネットワークからの不活性化許可応答を待つことができる。ネットワークが、第２のコンポーネントキャリアの不活性要求を拒否する場合、動作５３０は省略され得る。
【００４０】
動作５２０で送信された不活性化メッセージが不活性化通知メッセージである実施形態において、無線通信装置３０２は、動作５３０を実行する前に、不活性化通知メッセージに応じてネットワークからのＡＣＫの受信を待つことができる。ＡＣＫが（例えば、特定の時間内に）受信されず、及び／又は否定応答（ＮＡＣＫ）が受信された場合、動作５２０が反復され得る。あるいは、無線通信装置３０２は、ネットワークからのＡＣＫの受信を待つことなく、不活性化通知メッセージを送信した後で動作５３０を実行し得る。
【００４１】
図６は、いくつかの例示的実施形態に係る、コンポーネントキャリアを活性化する例示的方法のフローチャートを示す。この点に関し、図６は、いくつかの例示的実施形態に係る少なくとも２個のＲＦチェーンを有する無線通信装置３０２などのキャリアアグリゲーション可能無線通信装置により実行し得る動作を示す。処理回路４１０、プロセッサ４１２、メモリ４１４、送受信機４１６、又はＲＦチェーンコントローラ４１８のうちの１つ以上が、例えば、図６で示され、図６に関連して説明されている動作を実行する手段を提供し得る。図６に示され、図６に関連して説明されている動作は、無線通信装置が利用可能なＲＦチェーンを有し、追加の活性コンポーネントキャリアをサポートできるキャリアアグリゲーション可能ネットワーク上にある時はいつでも実行され得る。したがって、例えば、図６に示される動作は、動作５３０を実行した後に実行され得る。更なる実施例として、図６に示される動作は、図５で示されず５に関連して説明されている動作を実行する前に実行され得る。
【００４２】
動作６００は、無線通信装置３０２がプライマリコンポーネントキャリアに関連付けられた第１のＲＦチェーンを使用してキャリアアグリゲーション可能ネットワークへの接続をサポートすることを含み得る。いくつかの場合、無線通信装置３０２は、動作６００で活性化されるプライマリコンポーネントキャリアのみを有し得る。しかし、他の場合では、無線通信装置３０２は、追加で１つ以上の活性セカンダリコンポーネントキャリアを有し得るが、利用可能なＲＦチェーンにおけるキャリアアグリゲーション可能ネットワークへの接続をサポートするために使用する、少なくとも更に１つのセカンダリコンポーネントキャリアを活性化することを判定し得る。
【００４３】
動作６１０は、無線通信装置３０２が第２のＲＦチェーンに関連付けられたセカンダリコンポーネントキャリアの活性化を要求するキャリア活性化要求メッセージをフォーマット化することを含み得る。キャリア活性化要求メッセージは、活性化が要求されるキャリアを特定する指示を含み得る。いくつかの例示的実施形態において、キャリア活性化要求メッセージは、例えば、上記の実施例で説明されているように、活性化が要求されるセカンダリコンポーネントキャリアを特定するキャリア活性化指示を含むＭＡＣ  ＣＥであり得る。
【００４４】
動作６２０は、無線通信装置３０２がキャリア活性化要求メッセージをネットワークに送信することを含み得る。ネットワークは、要求に応じてコンポーネントキャリアを活性化するように構成され得、動作６３０において無線通信装置３０２が受信し得る活性化確認で応答し得る。セカンダリコンポーネントキャリアが活性化された後で、動作６４０において、無線通信装置３０２は、第２のＲＦチェーンを使用して、セカンダリコンポーネントキャリアを介した（例えば、プライマリコンポーネントキャリアを介した接続をサポートする第１のＲＦチェーンと共に）ネットワークへの接続をサポートし得る。
【００４５】
利用可能なＲＦチェーンの再利用
考察されたように、キャリアアグリゲーションが可能な無線通信装置は、組み合わせて２つ以上の受信信号を集約して装置の処理スループットを高め得る、２つ以上のＲＦチェーンを含み得る。受信された信号は、（周波数において）互いに隣り合うか、又は、互いに分離してはいるものの、共通の周波数帯域であり得る。いくつかの場合、受信信号は、受信信号が個別の周波数帯域に含まれ得るように、大きな周波数によって互いに分離され得る。したがって、ＲＦチェーンは、典型的には、互いに独立して相対的に同調、及び制御され得る。
【００４６】
無線通信装置がＭＣＣネットワーク内で動作しているが、ＲＦチェーンに関連付けられたコンポーネントキャリアが不活性化されている時などの、ＲＦチェーンがキャリアアグリゲーションのために使用されていない時は、ＲＦチェーンは、ネットワークへのキャリアアグリゲーション接続をサポートする第２のコンポーネントキャリアを介した通信以外の機能に再利用し得る。したがって、例えば、いくつかの例示的実施形態に係る動作５３０が実行された後で、ＲＦチェーンコントローラ４１８によってＲＦチェーンが利用可能になり、再利用し得る。更なる実施例として、無線通信装置３０２が、非ＭＣＣネットワーク（つまり、キャリアアグリゲーションのための複数のコンポーネントキャリアの使用をサポートしていないネットワーク）で動作している時、及び／又は、キャリアアグリゲーションが活性化されていない時に、ＲＦチェーンの再利用が可能になる。
【００４７】
キャリアアグリゲーション可能無線通信装置に含まれるＲＦチェーンのうちの少なくとも１つを一時的に再利用することによって、ユーザエクスペリエンスが改善され得る。この点に関し、１つ以上のＲＦチェーンを連続して使用してサービングネットワークへの接続をサポートしながら、利用可能なＲＦチェーンを再利用して様々な機能を実行し得る。したがって、利用可能なＲＦチェーンを再利用して、進行中の通信セッション（例えば、音声呼、データセッション、及び／又は他の通信セッション）と並行して、１つ以上の更なるＲＦチェーンによってサポートされ得る進行中の通信セッションを中断することなく、サービングネットワークを介して発生し得る機能を実行し得る。活性コンポーネントキャリアに関連付けられていない再利用のＲＦチェーンを使用して実行され得る様々な機能は、以下で更に詳細に説明されている。このようにしてＲＦチェーンを一時的に再利用することによって、無線通信装置の環境条件に対する反応時間を短縮してユーザエクスペリエンスを改善し得る。
【００４８】
図７は、いくつかの例示的実施形態に係る、ＲＦチェーンを再利用する例示的方法のフローチャートを示す。この点に関し、図７は、いくつかの例示的実施形態に係る少なくとも２個のＲＦチェーンを含む、無線通信装置３０２などのキャリアアグリゲーション可能装置により実行し得る動作を示す。処理回路４１０、プロセッサ４１２、メモリ４１４、送受信機４１６、又はＲＦチェーンコントローラ４１８のうちの１つ以上が、例えば、図７で示され、図７に関連して説明されている動作を実行する手段を提供し得る。
【００４９】
動作７００は、無線通信装置３０２がネットワークへの接続をサポートする第１のＲＦチェーンを使用することを含み得る。ネットワークが、キャリアアグリゲーション可能又はＭＣＣネットワークである場合、動作７００は、プライマリコンポーネントキャリアを介したネットワークへの接続をサポートする第１のＲＦチェーンを使用することを含み得る。
【００５０】
動作７１０は、無線通信装置３０２が再利用する第２のＲＦチェーンを選択することを含み得る。動作７２０は、無線通信装置３０２が第２のＲＦチェーンに関連付けられた活性セカンダリコンポーネントキャリアの有無を判定することを含み得る。いくつかの例示的実施形態において、動作７２０は、装置が接続されているネットワークがＭＣＣネットワークに接続されているかを判定する無線通信装置３０２を含み得る。ネットワークがＭＣＣネットワークでない場合、無線通信装置３０２は、第２のＲＦチェーンに関連付けられた活性セカンダリコンポーネントキャリアが存在しないと判定し得る。
【００５１】
第２のＲＦチェーンに関連付けられた活性セカンダリコンポーネントキャリアが存在することが動作７２０で判定された場合、方法は、動作７３０に進み得る。動作７３０は、無線通信装置３０２が不活性化メッセージをネットワークに送信して、第２のＲＦチェーンに関連付けられた活性セカンダリコンポーネントキャリアの不活性化をトリガすることを含み得る。不活性化メッセージは、例えば、動作５１０及び５２０でフォーマット化し送信できる不活性化メッセージに対応し得る。不活性化メッセージは、不活性化するコンポーネントキャリアをネットワークに知らせるセカンダリコンポーネントキャリアの指示を含み得る。無線通信装置３０２が、不活性化をトリガし、ネットワークの許可なしにコンポーネントキャリアの使用を中止できる実施形態において、不活性化メッセージは、例えば、不活性化通知メッセージであり得る。無線通信装置３０２が、ネットワークの許可を待ってコンポーネントキャリアの使用を中止する実施形態において、不活性化メッセージは、不活性化要求メッセージであり得る。不活性化メッセージは、例えば、セカンダリコンポーネントキャリアの不活性化指示を含むＭＡＣ  ＣＥであり得る。
【００５２】
動作７４０は、無線通信装置３０２がネットワークへの接続をサポートするセカンダリコンポーネントキャリアを介した通信以外の機能に第２のＲＦチェーンを再利用することを含み得る。動作７４０の実行に付随する再利用のＲＦチェーンを使用して実行し得る様々な例示的機能は、図８〜１４を参照して以下で更に詳細に説明されている。
【００５３】
動作７３０で送信された不活性化メッセージが不活性化要求メッセージである実施形態において、無線通信装置３０２は、動作７４０を実行する前にネットワークからの不活性化許可応答を待つことができる。ネットワークが、セカンダリコンポーネントキャリアの不活性要求を拒否する場合、動作７４０は省略され得る。
【００５４】
動作７３０で送信された不活性化メッセージが不活性化通知メッセージである実施形態において、無線通信装置３０２は、動作７４０を実行する前に、不活性化通知メッセージに応じて、ネットワークからのＡＣＫの受信を待つことができる。ＡＣＫが（例えば、特定の時間内に）受信されず、及び／又はＮＡＣＫが受信された場合、動作７３０が反復され得る。あるいは、無線通信装置３０２は、ネットワークからのＡＣＫの受信を待つことなく、不活性化通知メッセージを送信した後で動作７４０を実行し得る。
【００５５】
第２のＲＦチェーンに関連付けられた活性セカンダリコンポーネントキャリアが存在しないと動作７２０で判定された場合、動作７３０が省略され、方法は、代わりに、直接に動作７４０に進むことができる。
【００５６】
ページングメッセージをリッスンするＲＦチェーンの再利用
いくつかの例示的実施形態において、ＲＦチェーンを再利用して、着信ページなどの環境条件に反応する時間を短縮することによってユーザエクスペリエンスを改善し得る。例えば、キャリアアグリゲーション可能無線通信装置が、音声呼（ＶＯＩＰ）をサポートできないＬＴＥ又は他のパケット交換ネットワークで動作している場合、無線通信装置は、一般に回路交換フォールバック（ＣＳＦＢ）と呼ばれているメカニズムを介して音声呼をサポートするネットワークに切り替える必要がある。簡単に説明すると、ＣＳＦＢは、無線通信装置に対して、ＬＴＥネットワークから、移動通信用のグローバルシステネットワーク（ＧＳＭ）などの第２世代（２Ｇ）ネットワーク、又は音声呼を処理するように構成された回路交換ドメインを有するＣＤＭＡ２０００（１ｘ）ネットワークなどの第３世代（３Ｇ）ネットワークなどのレガシーネットワークに移行することを要求する。音声呼が終了した後で、無線通信装置はＬＴＥネットワークに戻ることができる。
【００５７】
ネットワークから無線通信装置への回路交換呼のページは、サービングネットワーク（例えば、ＬＴＥネットワーク）、又は音声呼を提供し得る、レガシーネットワーク（例えば、２Ｇ又は３Ｇネットワーク）上のいずれかで送信し得る。多くの場合、回路交換呼ページは、ネットワークによりレガシーネットワークからＬＴＥ（又は、他のサービングネットワーク）ネットワークを通じて無線通信装置に送信され得る。しかし、いくつかの場合では、ページは、レガシーネットワーク上でのみ発生し得、ページを受信及びデコードするために少なくとも一時的にレガシーネットワークに同調する必要がある。ＣＳＦＢをサポートしないＬＴＥネットワークにキャンプオンしている装置が、単一の無線接続をＬＴＥネットワークから１ｘネットワークに同調して、１ｘネットワークを介して音声呼を受信及びデコードする場合、装置が１ｘネットワークに同調されて、ページを受信及びデコードする期間の間、装置のＬＴＥネットワークとの通信は中断される。このＬＴＥネットワークとの通信の中断はユーザエクスペリエンスを低下することになり、ページをデコードするために必要な時間が長すぎると、ＬＴＥネットワークとの無線リソース制御（ＲＲＣ）接続の終了を生じ得る。更に、いくつかの場合、ページのサービングネットワークへの転送は、装置の遅延の受信に遅延を生じ得る。
【００５８】
動作していない又は利用可能なＲＦチェーンを有するキャリアアグリゲーション可能無線通信装置は、一時的にＲＦチェーンを再利用して、第２のネットワーク（例えば、ＬＴＥネットワーク）に活性的に接続されながら、第１のネットワーク（例えば、レガシーネットワーク）のページングメッセージを監視し得る。第１のネットワークを監視することによって、回路交換音声呼を処理する応答時間を短縮し得る。更に、ＲＦチェーンを再利用して、１つ以上の他のＲＦチェーンを介して第２のネットワークへの接続を維持しながら、第１のネットワークのページングメッセージを監視することによって、キャリアアグリゲーション可能装置は、第２のネットワークへの接続を維持して、したがって、より良いユーザエクスペリエンスを提供し得る。
【００５９】
図８は、いくつかの例示的実施形態に係る、ＲＦチェーンをページングメッセージの走査に再利用する例示的方法のフローチャートを示す。この点に関し、図８は、ＲＦチェーンが、ページングメッセージを走査するために無線通信装置３０２などのキャリアアグリゲーション可能無線通信装置によって再利用され得る、図７の実施形態を示す。処理回路４１０、プロセッサ４１２、メモリ４１４、送受信機４１６、又はＲＦチェーンコントローラ４１８のうちの１つ以上が、例えば、図８で示され、図８に関連して説明されている動作を実行する手段を提供し得る。
【００６０】
動作８００は、無線通信装置３０２が第１のネットワークへの接続をサポートする第１のＲＦチェーンを使用することを含み得る。第１のネットワークは、ＭＣＣネットワークであってもよいし、又は、キャリアアグリゲーションをサポートしないネットワークであってもよい。第１のネットワークが、ＭＣＣネットワークであるいくつかの場合、第１のＲＦチェーンを使用して、プライマリコンポーネントキャリアを介したネットワークへの接続をサポートし得る。いくつかの例示的実施形態において、第１のネットワークは、音声呼ＶＯＩＰをサポートしないＬＴＥネットワーク又は他のパケット交換ネットワークであってもよい。動作８００は、例えば、動作７００の一実施形態に相当し得る。
【００６１】
動作８１０は、無線通信装置３０２が再利用する第２のＲＦチェーンを選択することを含み得る。動作８２０は、無線通信装置３０２が第２のＲＦチェーンに関連付けられた活性セカンダリコンポーネントキャリアの有無を判定することを含み得る。第２のＲＦチェーンに関連付けられた活性セカンダリコンポーネントキャリアが存在することが動作８２０で判定された場合、方法は、動作８３０に進み得る。動作８３０は、無線通信装置３０２が不活性化メッセージを第１のネットワークに送信して、第２のＲＦチェーンに関連付けられた活性セカンダリコンポーネントキャリアの不活性化をトリガする活性化メッセージを第１のネットワークに送信することを含み得る。この点に関し、動作８１０〜８３０は、上述されているように動作７１０〜７３０に相当し得る。
【００６２】
動作８４０は、無線通信装置３０２が第１のＲＦチェーンを使用して第１のネットワークへの接続をサポートしながら、第２のＲＦチェーンを再利用して第２のネットワーク上でページングメッセージを走査することを含み得る。この点に関し、動作８４０は、動作７４０の一実施形態に相当し得る。第２のネットワークは、例えば、２Ｇネットワーク、３Ｇネットワーク、又は、回路交換音声呼をサポートし得る他のレガシーネットワークであってもよい。
【００６３】
第２のＲＦチェーンに関連付けられた活性セカンダリコンポーネントキャリアが存在しないと動作８２０で判定された場合、動作８３０が省略され、方法は、代わりに、直接に動作８４０に進むことができる。
【００６４】
ＰＬＭＮ検索を実行するＲＦチェーンの再利用
無線通信装置は、公衆地上移動体通信網（ＰＬＭＮ）に接続することによって動作し得る。無線通信装置及び／又はそれに関連付けられた加入者は、多くの場合、動作する装置にとって好ましいネットワークである、ホームＰＬＭＮ（ＨＰＬＭＮ）を有する。装置がそのＨＰＬＭＮのカバレッジ領域を超えてローミングする場合、装置は、別の異なるＰＬＭＮを通じて接続し得る。ＨＰＬＭＮ以外のＰＬＭＮに接続された装置は、「ローミングしている」と呼ぶことができる。ローミング中、装置は、ローミングしている現在のサービングＰＬＭＮの代わりに使用する、限定されない例としてのＨＰＬＭＮなどの高優先度ＰＬＭＮを検索し得る。
【００６５】
いくつかの例示的な実施形態に係る、キャリアアグリゲーション可能無線通信装置におけるＲＦチェーンを再利用して、ローミングしながら優先度の高いＰＬＭＮを検索することによってユーザエクスペリエンスを改善し得る。ＲＦチェーンを再利用して優先度の高いＰＬＭＮを走査することによって、装置が、サービングＰＬＭＮへの接続をサポートするために使用するプライマリＲＦチェーン上で優先度の高いＰＬＭＮを走査するｔｕｎｅａｗａｙを実行するなどのサービングＰＬＭＮ（例えば、ローミングＰＬＭＮ）上での進行中のセッションに並行して、サービングＰＬＭＮへの接続を中断することなく、ＰＬＭＮ検索を実行することを可能にする。したがって、ＰＬＭＮ検索を実行している時にデータ又は他の通信セッションの中断及び遅延を低減することを通じてユーザエクスペリエンスを改善し得る。更に、かかる例示的な実施形態は、無線通信装置が優先度の高いＰＬＭＮをより迅速に特定し、移行することを可能にするので、装置がそのＨＰＬＭＮ外でローミングしている時に加入者が負担するローミング料金を低減し得る。
【００６６】
図９は、いくつかの例示的実施形態に係る、ＲＦチェーンを高優先度ネットワークの走査に再利用する例示的方法のフローチャートを示す。この点に関し、図９は、無線通信装置３０２などのキャリアアグリゲーション可能無線通信装置がＲＦチェーンを再利用して現在のサービングＰＬＭＮ以外の優先度の高いＰＬＭＮを走査できる、図７の一実施形態を示す。処理回路４１０、プロセッサ４１２、メモリ４１４、送受信機４１６、又はＲＦチェーンコントローラ４１８のうちの１つ以上が、例えば、図９で示され、図９に関連して説明されている動作を実行する手段を提供し得る。
【００６７】
動作９００は、無線通信装置３０２が第１のＰＬＭＮへの接続をサポートする第１のＲＦチェーンを使用することを含み得る。第１のＰＬＭＮは、ＭＣＣネットワークであってもよいし、又は、キャリアアグリゲーションをサポートしないネットワークであってもよい。第１のＰＬＭＮが、ＭＣＣネットワークであるいくつかの場合、第１のＲＦチェーンを使用して、プライマリコンポーネントキャリアを介したネットワークへの接続をサポートし得る。いくつかの例示的実施形態において、第１のＰＬＭＮは、無線通信装置３０２が、第１のＰＬＭＮに接続されながら、ローミングし得るように、ＰＬＭＮをローミングし得る。動作９００は、例えば、動作７００の一実施形態に相当し得る。
【００６８】
動作９１０は、無線通信装置３０２が再利用する第２のＲＦチェーンを選択することを含み得る。動作９２０は、無線通信装置が第２のＲＦチェーンに関連付けられた活性セカンダリコンポーネントキャリアの有無を判定することを含み得る。第２のＲＦチェーンに関連付けられた活性セカンダリコンポーネントキャリアが存在することが動作９２０で判定された場合、方法は、動作９３０に進み得る。動作９３０は、無線通信装置３０２が不活性化メッセージを第１のＰＬＭＮに送信して、第２のＲＦチェーンに関連付けられた活性セカンダリコンポーネントキャリアの不活性化をトリガすることを含み得る。この点に関し、動作９１０〜９３０は、上述されているように動作７１０〜７３０に相当し得る。
【００６９】
動作９４０は、無線通信装置３０２が第１のＲＦチェーンを使用して第１のＰＬＭＮへの接続をサポートしながら、第２のＲＦチェーンを再利用して第１のＰＬＭＮより高い優先度を有するＰＬＭＮを走査することを含み得る。この点に関し、動作９４０は、動作７４０の一実施形態に相当し得る。
【００７０】
第２のＲＦチェーンに関連付けられた活性セカンダリコンポーネントキャリアが存在しないと動作９３０で判定された場合、動作９３０が省略され、方法は、代わりに、直接に動作９４０に進むことができる。
【００７１】
図１０は、いくつかの例示的実施形態に係る、ＲＦチェーンを高優先度ネットワークの走査に再利用する別の例示的方法のフローチャートを示す。この点に関し、図１０は、いくつかの例示的実施形態に係る無線通信装置３０２などのキャリアアグリゲーション可能装置により実行し得る方法を示す。処理回路４１０、プロセッサ４１２、メモリ４１４、送受信機４１６、又はＲＦチェーンコントローラ４１８のうちの１つ以上が、例えば、図１０で示され、図１０に関連して説明されている動作を実行する手段を提供し得る。
【００７２】
動作１０００は、無線通信装置３０２がＭＣＣネットワーク内で動作しているか判定することを含み得る。上述されているように、複数のキャリアネットワークがキャリアアグリゲーションを使用して帯域幅を無線通信装置まで増大し得る。無線通信装置３０２がＭＣＣネットワーク内で動作している場合、方法は、動作１０１０に進むことができる。動作１０１０は、無線通信装置３０２が不活性化メッセージをネットワークに送信してコンポーネントキャリアの不活性化をトリガすることを含み得る。しかし、無線通信装置３０２がＭＣＣネットワーク内で動作していないことが動作１０００で判定された場合、装置は既に未使用のＲＦチェーンを有している可能性があり、動作１０１０が省略され得る。動作１０２０において、無線通信装置３０２は、未使用ＲＦチェーンを特定し得る。特定されるＲＦチェーンは、動作１０１０において送信された不活性化メッセージに応じてリリースされたＲＦチェーンであるか、又は、キャリアアグリゲーション可能無線通信装置を非ＭＣＣネットワークで作動することによって生じるＲＦチェーンであり得る。
【００７３】
動作１０３０は、無線通信装置３０２が特定されたＲＦチェーンを使用して高優先度のＰＬＭＮを走査することによって、特定されたＲＦチェーンを再利用することを含み得る。いくつかの実施形態において、走査は、周期的であり得る。いくつかの例示的な実施形態において、動作１０３０の走査は、無線通信装置３０２に関連付けられた１つ以上の他のＲＦチェーンを、サービングＰＬＭＮなどの別のネットワークに接続しながら、実行され得る。現在のサービングＰＬＭＮ以外より高い優先度のＰＬＭＮが位置付けされた場合、無線通信装置３０２は、その高優先度ＰＬＭＮに接続し得る。
【００７４】
並列測定を実行するＲＦチェーンの再利用
いくつかの例示的実施形態において、ＲＦチェーンを再利用して並列測定を実行し得る。この点に関して、無線通信装置は、音声アプリケーション又は映像アプリケーション（又は他のデータアプリケーション）などのネットワーク通信を必要とするアプリケーションを提供する一方で、サービングネットワーク周波数間測定（例えば、ＬＴＥ周波数間測定）及び／又は、サービングネットワークが実行するＲＡＴに対する代替的なＲＡＴの特性を測定するＲＡＴ間測定を実行し得る。無線通信装置は、典型的には、無線送信におけるギャップの間に周波数間及びＲＡＴ間特性を測定し得る。しかし、サービングＲＡＴ上のサービングセルからの信号品質が（例えば、受信信号強度が低いか、若しくは、近傍信号干渉又はブロッカーのため）所定の閾値を下回る時などの特定の条件において、以下で更に説明されている利用可能なＲＦチェーンを再利用して並列測定動作モードを実行することによって、より良いユーザエクスペリエンスを提供し得る。
【００７５】
サービングセルの信号品質が低下しつつある時に、ギャップを待って近傍周波数及び／又は代替的ＲＡＴを測定及び特徴づけると、無線通信装置のサービングセルからより良い信号品質をもたらし得るターゲットセルへの移行を遅らせる。これは、装置が、移動する車両内にある時など、移動している場合に、特に言える。この遅延を低減するために、第２のＲＦチェーンでターゲットセルの周波数間測定及び／又はＲＡＴ間測定を実行しながら、第１のＲＦチェーンのサポートによって、音声呼又はデータ転送がサービングセル上で並行して発生することを可能にする並列測定モードを使用し得る。
【００７６】
図１１は、いくつかの例示的実施形態に係る、ＲＦチェーンを並列測定の実行に再利用する例示的方法のフローチャートを示す。この点に関して、図１１は、無線通信装置３０２などのキャリアアグリゲーション可能無線通信装置が、ＲＦチェーンを再利用して、サービングネットワーク上のターゲットセルの周波数間測定及び／又は代替のＲＡＴ上のターゲットセルのＲＡＴ間測定などの、ターゲットセルの並列測定を実行し得る、図７の一実施形態を示す。処理回路４１０、プロセッサ４１２、メモリ４１４、送受信機４１６、又はＲＦチェーンコントローラ４１８のうちの１つ以上が、例えば、図１１で示され、図１１に関連して説明されている動作を実行する手段を提供し得る。
【００７７】
動作１１００は、無線通信装置３０２がネットワークのサービングセルへの接続をサポートする第１のＲＦチェーンを使用することを含み得る。ネットワークは、ＭＣＣネットワークであってもよいし、又は、キャリアアグリゲーションをサポートしないネットワークであってもよい。ネットワークが、ＭＣＣネットワークであるいくつかの場合、第１のＲＦチェーンを使用して、プライマリコンポーネントキャリアを介したネットワークへの接続をサポートし得る。動作１１００は、例えば、動作７００の一実施形態に相当し得る。
【００７８】
いくつかの例示的な実施形態において、基準信号受信品質（ＲＳＲＱ）、基準信号受信電力（ＲＳＲＰ）、受信信号強度（ＲＳＳＩ）、受信信号符号電力（ＲＳＣＰ）及び／又は信号品質の他の測定値などの、サービングセルの信号品質が閾値数量を下回っていると判定されると、それに応じて、図１１の方法に係る並列測定の実行がトリガされ得る。かかる例示的な実施形態において、方法は、無線通信装置３０２がサービングセルの信号品質が閾値数量を下回っていることを判定することを含み得る、動作１１１０を任意で含み得る。しかし、代替的な実施形態において、並列測定はサービングセルの信号品質に関係なく（例えば、周期的に）実行でき、動作１１１０を省略し得る。
【００７９】
動作１１２０は、無線通信装置３０２が再利用する第２のＲＦチェーンを選択することを含み得る。動作１１３０は、無線通信装置３０２が第２のＲＦチェーンに関連付けられた活性セカンダリコンポーネントキャリアの有無を判定することを含み得る。第２のＲＦチェーンに関連付けられた活性セカンダリコンポーネントキャリアが存在することが動作１１３０で判定される場合、方法は、動作１１４０に進み得る。動作１１４０は、無線通信装置３０２が不活性化メッセージをネットワークに送信して、第２のＲＦチェーンに関連付けられた活性セカンダリコンポーネントキャリアの不活性化をトリガすること、を含み得る。この点に関し、動作１１２０〜１１４０は、上述されているように動作７１０〜７３０に相当し得る。
【００８０】
動作１１５０は、無線通信装置３０２が第１のＲＦチェーンを使用してネットワークのサービングセルへの接続をサポートしていながら、第２のＲＦチェーンを再利用してターゲットセルの並列測定を実行することを含み得る。この点に関し、動作１１５０は、動作７４０の一実施形態に相当し得る。いくつかの例示的な場合、ターゲットセルは、サービングネットワーク上のターゲットセルであり得、並列測定の実行は、周波数間測定の実行を含み得る。いくつかの場合、ターゲットセルは、代替的ＲＡＴのターゲットセルであり得、並列測定の実行は、ＲＡＴ間測定の実行を含み得る。いくつかの例示的実施形態において、動作１１５０は、第１のＲＦチェーンによってサポートされ得るサービングネットワークのサービングセルへの接続を介したアクティブ通信セッションと同時に（例えば、並行して）実行され得る。いくつかの例示的実施形態において、動作１１５０は、第２のＲＦチェーンを使用し、サービングセルからターゲットセルへの早いハンドオフを促すようにターゲットセルとの同期を実行することを、更に含み得る。
【００８１】
第２のＲＦチェーンに関連付けられた活性セカンダリコンポーネントキャリアが存在しないと動作１１３０で判定された場合、動作１１４０が省略され、方法は、代わりに、直接に動作１１５０に進むことができる。
【００８２】
図１２は、いくつかの例示的実施形態に係る、ＲＦチェーンを並列測定の実行に再利用する別の例示的方法のフローチャートを示す。この点に関し、図１２は、いくつかの例示的実施形態に係る無線通信装置３０２などのキャリアアグリゲーション可能装置により実行し得る方法を示す。処理回路４１０、プロセッサ４１２、メモリ４１４、送受信機４１６、又はＲＦチェーンコントローラ４１８のうちの１つ以上が、例えば、図１２で示され、図１２に関連して説明されている動作を実行する手段を提供し得る。
【００８３】
動作１２００は、無線通信装置３０２がサービングセルからの信号品質が所定の閾値未満であるか判定することを含み得る。いくつかの実施形態において、信号品質は、受信電力レベル測定値であり得る。他の実施形態において、信号品質は、更に、又は別の方法としては、近傍周波数からの干渉を測定することによって判定し得る。更に他の実施形態において、信号品質は、更に、又は他の方法としては、他の近隣無線アクセス技術からの干渉を測定することによって判定し得る。
【００８４】
信号品質が閾値以上の場合、方法は、終了し得る。一方、信号品質が閾値未満であると判定された場合、方法は動作１２１０に進み得る。動作１２１０は、無線通信装置３０２がＭＣＣネットワーク内で動作しているか判定することを含み得る。無線通信装置３０２がＭＣＣネットワーク内で動作していると動作１２１０において判定された場合、方法は、動作１２２０に進み得る。動作１２２０では、無線通信装置３０２は、不活性化メッセージをネットワークに送信して、再利用のためのＲＦチェーンを開放するために、コンポーネントキャリアの不活性化をトリガし得る。しかし、無線通信装置３０２がＭＣＣネットワーク内で動作していないと動作１２１０で判定された場合、装置は既に未使用のＲＦチェーンを有している可能性があり、動作１２２０が省略され得る。動作１２３０において、無線通信装置３０２は、未使用ＲＦチェーンを特定し得る。特定されるＲＦチェーンは、動作１２２０において送信された不活性化メッセージに応じて、リリースされたＲＦチェーンであるか、又は、キャリアアグリゲーション可能無線通信装置を非ＭＣＣネットワークで作動することによって生じるＲＦチェーンであり得る。
【００８５】
動作１２４０は、無線通信装置３０２が特定されたＲＦチェーンを使用して、近傍セル（例えば、近傍ＬＴＥ周波数）の周波数間測定及び／又は近傍ＲＡＴ周波数のＲＡＴ間測定などの並列測定を実行することによって、特定されたＲＦチェーンを再利用することを含み得る。並列測定は、未使用のＲＦチェーンを使って実行され得、その間、装置は、別のＲＦチェーンのサポートで、サービングセルを介して音声呼アプリケーション及び／又は他のデータアプリケーションを実行し得る。
【００８６】
候補セルとの同期もステップ１２４０で実行し得る。同期は、典型的には、装置が現在のサービングセルからターゲットセルにハンドオフされる前に発生し得る。周波数及びタイミング情報をハンドオフの前に装置とターゲットセルとの間で同期して、迅速で円滑な移行を確実にし得る。未使用のＲＦチェーンを使用して同期タスクを実行することによって、特に、サービングセルの信号品質が閾値未満であるか急激に低下する時に、ハンドオフをより円滑にし得る。
【００８７】
いくつかの例示的実施形態において、図１１及び１２で説明されているような並列測定モードは、サービングネットワーク及び／又はＲＡＴ間周波数を測定および特徴付けるために、無線送信におけるギャップを待つよりも電力を消費し得る。並列測定モードは、装置がモビリティ状態であり、サービングセルからの信号品質が急激に低下する時に、より良いユーザエクスペリエンスを提供し得る。特定の場合、特徴付け及び同期が迅速に完了しない場合、ＵＥが別のセルにハンドオーバされる前に呼（又はデータサービス）が低下する場合がある。したがって、いくつかの例示的実施形態に係る並列測定モードは、装置がモビリティ状態であることに応じて、及び／又はサービングセルの信号品質が低下する（例えば、閾値未満）ことに応じて実行され得る。
【００８８】
自律測定を実行するＲＦチェーンの再利用
いくつかの例示的実施形態において、ＲＦチェーンを再利用して自律測定を実行し得る。自律測定は、動作基準によって定義され得る。自律測定を使用して、無線通信装置が利用し得る閉加入者グループ（ＣＳＧ）セルなどのフェムトセルの存在を判定し得る。しかし、サービングネットワーク／サービングセルへの接続上でデータを転送する代わりに自律測定の無線リソースを一時的に使用することによって自律測定を実行する時、装置はスループットのある程度の悪化を経験し得る。いくつかの場合、装置は、自律測定を実行するために周期的に１５０ミリ秒（ｍｓ）を要し得る。この１５０ｍｓの接続の中断は、サービングネットワーク／サービングセルへのアクティブコネクションの音声又はデータスループットに影響を及ぼし得る。いくつかの例示的実施形態は、キャリアアグリゲーション可能無線通信装置上でＲＦチェーンを再利用して、別のＲＦチェーンによって同時にサポートされ得る、サービングネットワーク／サービングセル上で進行中の通信セッション（例えば、音声及び／又はデータセッション）と並行して自律測定を実行することによってこの問題に対応している。
【００８９】
図１３は、いくつかの例示的実施形態に係る、ＲＦチェーンを自律測定の実行に再利用する例示的方法のフローチャートを示す。この点に関し、図１３は、ＲＦチェーンが、自律測定を実行するために無線通信装置３０２などのキャリアアグリゲーション可能無線通信装置によって再利用され得る、図７の実施形態を示す。処理回路４１０、プロセッサ４１２、メモリ４１４、送受信機４１６、又はＲＦチェーンコントローラ４１８のうちの１つ以上が、例えば、図１３で示され、図１３に関連して説明されている動作を実行する手段を提供し得る。
【００９０】
動作１３００は、無線通信装置３０２がネットワークのサービングセルへの接続をサポートする第１のＲＦチェーンを使用することを含み得る。ネットワークは、ＭＣＣネットワークであってもよいし、又は、キャリアアグリゲーションをサポートしないネットワークであってもよい。ネットワークが、ＭＣＣネットワークであるいくつかの場合、第１のＲＦチェーンを使用して、プライマリコンポーネントキャリアを介したネットワークへの接続をサポートし得る。動作１３００は、例えば、動作７００の一実施形態に相当し得る。
【００９１】
動作１３１０は、無線通信装置３０２が再利用する第２のＲＦチェーンを選択することを含み得る。動作１３２０は、無線通信装置が第２のＲＦチェーンに関連付けられた活性セカンダリコンポーネントキャリアの有無を判定することを含み得る第２のＲＦチェーンに関連付けられた活性セカンダリコンポーネントキャリアが存在することが動作１３２０で判定された場合、方法は、動作１３３０に進み得る。動作１３３０は、無線通信装置３０２が不活性化メッセージをネットワークに送信して、第２のＲＦチェーンに関連付けられた活性セカンダリコンポーネントキャリアの不活性化をトリガすること、を含み得る。この点に関し、動作１３１０〜１３３０は、上述されているように動作７１０〜７３０に相当し得る。
【００９２】
動作１３４０は、無線通信装置３０２が第１のＲＦチェーンを使用してサービングセルへの接続をサポートしながら、第２のＲＦチェーンを再利用してターゲットセルの自律測定を実行し、ターゲットセルのシステム情報を取得することを含み得る。この点に関し、動作１３４０は、動作７４０の一実施形態に相当し得る。ターゲットセルは、例えば、サービングネットワークの一セルであり得、また、別のネットワークの一セルでもあり得る。取得したシステム情報を使用して、セル検出、同期及びハンドオーバ手順を容易にし得る。
【００９３】
第２のＲＦチェーンに関連付けられた活性セカンダリコンポーネントキャリアが存在しないと動作１３２０で判定された場合、動作１３３０が省略され、方法は、代わりに、直接に動作１３４０に進むことができる。
【００９４】
いくつかの例示的実施形態において、動作１３４０に付随して実行し得る自律測定などの自律測定を使用して、ホーム進化型ノードＢ（ｅＮＢ）又は他のフェムトセルなどのＣＳＧセルの検出及び関連付けを容易にし得る。ホームｅＮＢは、家庭や事務所などの限定された領域内でのセルサービスを改善するためにユーザが配備できる、非常に小規模のサービングセルであり得る。多くの場合、ネットワークオペレータは、ホームｅＮＢの配備についての知識を有さない場合があり、無線通信装置によるホームｅＮＢの存在の認識を促すために自律測定を必要とし得る。更に、ホームｅＮＢの使用は、ＣＳＧとして公知の、認可されたユーザのグループのみに限定され得る。したがって、自律測定を使用して、（１）ホームｅＮＢ又は他のＣＳＧセルの存在を検出し、（２）ＣＳＧセルの受信した信号レベル及び品質を測定し、（３）ＣＳＧのシステム情報を検出し得る。システム情報の検出は、例えば、セルＩＤを判定すること、及び無線通信装置３０２がＣＳＧセルに登録することを許可されているか（例えば、装置又はそれに関連付けられたユーザがＣＳＧの要素であるか）判定することを含み得る。
【００９５】
図１４は、いくつかの例示的実施形態に係る、ＲＦチェーンを自律測定の実行に再利用する別の例示的方法のフローチャートを示す。この点に関し、図１４は、いくつかの例示的実施形態に係る無線通信装置３０２などのキャリアアグリゲーション可能装置により実行し得る方法を示す。処理回路４１０、プロセッサ４１２、メモリ４１４、送受信機４１６、又はＲＦチェーンコントローラ４１８のうちの１つ以上が、例えば、図１４で示され、図１４に関連して説明されている動作を実行する手段を提供し得る。
【００９６】
動作１４００は、無線通信装置３０２が、装置がＭＣＣネットワーク内で動作しているか、判定することを含み得る。無線通信装置３０２がＭＣＣネットワーク内で動作していると動作１４００において判定された場合、方法は、動作１４１０に進み得る。動作１４１０では、無線通信装置３０２は、不活性化メッセージをネットワークに送信して、再利用のためのＲＦチェーンを開放するために、コンポーネントキャリアの不活性化をトリガし得る。しかし、無線通信装置３０２がＭＣＣネットワーク内で動作していないことが動作１４００で判定された場合、装置は既に未使用のＲＦチェーンを有している可能性があり、動作１４１０が省略され得る。動作１４２０において、無線通信装置３０２は、未使用ＲＦチェーンを特定し得る。特定されるＲＦチェーンは、動作１４１０において送信された不活性化メッセージに応じてリリースされたＲＦチェーンであるか、又は、キャリアアグリゲーション可能無線通信装置を非ＭＣＣネットワークで作動することによって生じるＲＦチェーンであり得る。
【００９７】
動作１４３０は、無線通信装置３０２が特定されたＲＦチェーンを使用して自律測定を実行することによって特定されたＲＦチェーンを再利用することを含み得る。動作１４３０において実行し得る自律測定は、例えば、ホームｅＮＢ又は他のＣＳＧセルの自律測定であり得る。したがって、動作１４３０の自律測定を使用して、（１）ホームｅＮＢ又は他のＣＳＧセルの存在を検出し、（２）ＣＳＧセルの受信した信号レベル及び品質を測定し、（３）ＣＳＧのシステム情報を検出し得る。システム情報の検出は、例えば、セルＩＤを判定すること、及び無線通信装置３０２がＣＳＧセルに登録することを許可されているか（例えば、装置又はそれに関連付けられたユーザがＣＳＧの要素であるか）判定することを含み得る。
【００９８】
説明される実施形態の様々な態様、実施形態、実装、又は機構は、個別に若しくは任意の組み合わせで使用できる。説明される実施形態の様々な態様は、ソフトウェア、ハードウェア、又はハードウェアとソフトウェアとの組み合わせによって実装できる。説明される実施形態はまた、製造作業を制御するためのコンピュータ可読媒体上のコンピュータ可読コードとして、又は製造ラインを制御するためのコンピュータ可読媒体上のコンピュータ可読コードとして具体化することもできる。このコンピュータ可読媒体は、後にコンピュータシステムによって読み込むことが可能なデータを記憶することができる、任意のデータ記憶機器である。コンピュータ可読媒体の例としては、読み出し専用メモリ、ランダムアクセスメモリ、ＣＤ−ＲＯＭ、ＨＤＤ、ＤＶＤ、磁気テープ、及び光学的データ記憶機器が挙げられる。コンピュータ可読媒体はまた、そのコンピュータ可読コードが分散方式で記憶及び実行されるように、ネットワーク結合されたコンピュータシステム上に分散させることもできる。
【００９９】
上記の説明では、説明の一部を構成し、例として、説明されている実施形態に係る具体的な実施形態が示されている、添付図面が参照されている。当業者が説明される実施形態を実施できるように十分詳細にこれらの実施形態は説明されるが、これらの実施例は限定的なものでなく、他の実施形態が使用されてもよく、説明される実施形態の趣旨又は範囲から逸脱せずに変更が行われてもよいということが理解されよう。
【０１００】
更に、上記の説明では、説明の目的上、説明されている実施形態の完全の理解を提供するために特定の専門用語が使用されている。しかしながら、それらの具体的詳細は、説明される実施形態を実践するために必須のものではないことが、当業者には明らかとなるであろう。それゆえ、上述の具体的な実施形態の説明は、例示及び説明の目的のために提示される。上記の説明で呈示されている実施形態に関して開示された実施例の説明は、単に、記載の実施形態に対して文脈を追加し、その理解を助けることを目的とする。記載内容は、網羅的であることを意図しておらず、又は記載の実施形態を開示された厳密な形態に限定することも意図していない。上記の教示を考慮して、多くの改変、代替的適用、及び変形が可能であることが、当業者には明らかとなるであろう。この点に関し、記載の実施形態は、これらの具体的な詳細の一部又はすべてがなくても実践し得ることが当業者には容易に理解できるであろう。更に、いくつかの場合、記載の実施形態を不必要に不明瞭化することを回避するために、周知の方法手順は、詳細に説明されていない。
【図１】
2015526934.tif 000004
【図２】
2015526934.tif 000005
【図３】
2015526934.tif 000006
【図４】
2015526934.tif 000007
【図５】
2015526934.tif 000008
【図６】
2015526934.tif 000009
【図７】
2015526934.tif 000010
【図８】
2015526934.tif 000011
【図９】
2015526934.tif 000012
【図１０】
2015526934.tif 000013
【図１１】
2015526934.tif 000014
【図１２】
2015526934.tif 000015
【図１３】
2015526934.tif 000016
【図１４】
2015526934.tif 000017
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
キャリアアグリゲーション可能無線通信装置において無線周波数（ＲＦ）チェーンを管理する方法であって、前記無線通信装置が、
第１のコンポーネントキャリアに関連付けられた第１のＲＦチェーンと、第２のコンポーネントキャリアに対応付けられた第２のＲＦチェーンとを使用して、キャリアアグリゲーション可能ロングタームエボリューション（ＬＴＥ）技術を実施するネットワークへの接続をサポートすることと、
前記第２のコンポーネントキャリアの不活性化をトリガするように構成された不活性化メッセージをフォーマットすることと、
前記不活性化メッセージを前記ネットワークに送信して、前記第２のコンポーネントキャリアの不活性化をトリガすることと、
前記不活性化メッセージを送信した後で、前記第２のコンポーネントキャリアを介した前記ネットワークへの前記接続をサポートする前記第２のＲＦチェーンの使用を中止することと、
を含み、
前記不活性化メッセージが不活性化要求メッセージを含む時、前記無線通信装置は、前記第２のＲＦチェーンの使用を中止する前に前記ネットワークからの応答を待ち、
前記不活性化メッセージが不活性化通知メッセージを含む時、前記無線通信装置は、前記第２のＲＦチェーンの使用を中止する前に前記ネットワークからの応答を待たず、
前記不活性化メッセージをフォーマットすることが、前記第２のコンポーネントキャリアの不活性化指示を含むメディアアクセス制御（ＭＡＣ）制御要素（ＣＥ）をフォーマットすることを含み、前記ＭＡＣ  ＣＥが、無線通信装置によってコンポーネントキャリア不活性化シグナリング用に指定された予約論理チャネルＩＤ（ＬＣＩＤ）を有するＭＡＣパケットデータユニット（ＰＤＵ）を含む、方法。
【請求項２】
前記不活性化メッセージが、不活性化要求メッセージを含み、前記ネットワークからの前記応答が、不活性化許可応答を含む、請求項１に記載の方法。
【請求項３】
前記無線通信装置が、前記第１のＲＦチェーンを使用して前記第１のコンポーネントキャリアを介した前記ネットワークへの前記接続をサポートしながら、前記ネットワークへの前記接続をサポートした前記第２のコンポーネントキャリアを介した通信以外の機能に前記第２のＲＦチェーンを再利用することを更に含む、請求項１に記載の方法。
【請求項４】
前記第２のＲＦチェーンを再利用することが、前記第１のＲＦチェーンを使用して前記第１のコンポーネントキャリアを介した前記ネットワークへの前記接続をサポートしながら、前記第２のＲＦチェーンを使用して、第２のネットワーク上でページングメッセージを走査することを含む、請求項３に記載の方法。
【請求項５】
前記第２のＲＦチェーンを再利用することが、前記第１のＲＦチェーンを使用して前記第１のコンポーネントキャリアを介した前記ネットワークへの前記接続をサポートしながら、前記第２のＲＦチェーンを使用して前記ネットワークより高い優先度を有する公衆地上移動体通信網（ＰＬＭＮ）を走査することを含む、請求項３に記載の方法。
【請求項６】
前記第２のＲＦチェーンを再利用することが、前記第１のＲＦチェーンを使用して前記第１のコンポーネントキャリアを介した前記ネットワークへの前記接続をサポートしながら、前記第２のＲＦチェーンを使用して前記ネットワークより高い優先度を有するホーム公衆地上移動体通信網（ＨＰＬＭＮ）を走査することを含み、前記ネットワークが、前記ホームＰＬＭＮ以外のローミングネットワークを含む、請求項３に記載の方法。
【請求項７】
前記第２のＲＦチェーンを再利用することが、前記第１のＲＦチェーンを使用して前記第１のコンポーネントキャリアを介した前記ネットワークのサービングセルへの接続を経てアクティブな通信セッションをサポートしながら、前記第２のＲＦチェーンを使用してターゲットセルの並列測定を実行することを含む、請求項３に記載の方法。
【請求項８】
前記無線通信装置は、
前記サービングセルの信号品質が、閾値信号品質未満に低下したかを判定することを更に含み、
前記不活性化メッセージを前記ネットワークに送信することと、前記第２のＲＦチェーンを使用して前記ターゲットセルの並列測定を実行することが、前記サービングセルの前記信号品質が前記閾値信号品質未満に低下したことに応じて実行される、請求項７に記載の方法。
【請求項９】
前記第２のＲＦチェーンを再利用することが、前記第１のＲＦチェーンを使用して前記第１のコンポーネントキャリアを介した前記ネットワークのサービングセルへの接続を経てアクティブモードで動作する前記無線通信装置のアクティブな通信セッションをサポートしながら、前記第２のＲＦチェーンを使用してターゲットセルの自律測定を実行し、前記ターゲットセルのシステム情報を取得することを含む、請求項３に記載の方法。
【請求項１０】
前記ターゲットセルが、閉加入者グループ（ＣＳＧ）セルである、請求項９に記載の方法。
【請求項１１】
無線通信装置であって、
第１の無線周波数（ＲＦ）チェーンと、
第２のＲＦチェーンであって、前記第１のＲＦチェーン及び前記第２のＲＦチェーンが、キャリアアグリゲーションをサポートするように構成されている、第２のＲＦチェーンと、
処理回路と、
を備え、前記処理回路は、
前記第１のＲＦチェーンを使用して第１のコンポーネントキャリアを介した多重コンポーネントキャリア（ＭＣＣ）可能ネットワークへの接続をサポートし、
前記第２のＲＦチェーンを使用して第２のコンポーネントキャリアを介した前記ＭＣＣ可能ネットワークへの前記接続をサポートし、
前記第２のコンポーネントキャリアの不活性化をトリガするように構成された不活性化メッセージをフォーマットし、前記不活性化メッセージが、前記第２のコンポーネントキャリアの不活性化指示を含むメディアアクセス制御（ＭＡＣ）制御要素（ＣＥ）を含み、前記ＭＡＣ  ＣＥが、前記無線通信装置によってコンポーネントキャリア不活性化シグナリング用に指定された予約論理チャネルＩＤ（ＬＣＩＤ）を有するＭＡＣパケットデータユニットを更に含み、
前記不活性化メッセージを前記ＭＣＣ可能ネットワークに送信して前記第２のコンポーネントキャリアの不活性化をトリガし、
前記不活性化メッセージを送信した後で、前記第２のコンポーネントキャリアを介した前記ＭＣＣ可能ネットワークへの前記接続をサポートする前記第２のＲＦチェーンの使用を中止するように
前記無線通信装置を制御するように構成され、
前記不活性化メッセージが不活性化要求メッセージを含む時、前記無線通信装置は、前記第２のＲＦチェーンの使用を中止する前に前記ＭＣＣ可能ネットワークからの応答を待ち、
前記不活性化メッセージが不活性化通知メッセージを含む時、前記無線通信装置は、前記第２のＲＦチェーンの使用を中止する前に前記ＭＣＣ可能ネットワークからの応答を待たない、無線通信装置。
【請求項１２】
前記処理回路が、前記第１のＲＦチェーンを使用して前記第１のコンポーネントキャリアを介した前記ＭＣＣ可能ネットワークへの前記接続をサポートしながら、前記ＭＣＣ可能ネットワークへの前記接続をサポートした前記第２のコンポーネントキャリアを介した通信以外の機能に前記第２のＲＦチェーンを再利用するように、前記無線通信装置を制御するように更に構成された、請求項１１に記載の無線通信装置。
【請求項１３】
前記処理回路が、前記第１のＲＦチェーンを使用して前記第１のコンポーネントキャリアを介した前記ＭＣＣ可能ネットワークへの前記接続をサポートしながら、前記第２のＲＦチェーンを再利用して、前記第２のＲＦチェーンを使用することによって、第２のネットワーク上でページングメッセージを走査するように前記無線通信装置を制御する、請求項１２に記載の無線通信装置。
【請求項１４】
前記処理回路が、前記第１のＲＦチェーンを使用して前記第１のコンポーネントキャリアを介した前記ＭＣＣ可能ネットワークへの前記接続をサポートしながら、前記第２のＲＦチェーンを再利用して、前記第２のＲＦチェーンを使用することによって、前記ＭＣＣ可能ネットワークより高い優先度を有する公衆地上移動体通信網（ＰＬＭＮ）を走査するように前記無線通信装置を制御する、請求項１２に記載の無線通信装置。
【請求項１５】
前記処理回路が、前記第１のＲＦチェーンを使用して前記第１のコンポーネントキャリアを介した前記ＭＣＣ可能ネットワークへの前記接続をサポートしながら、前記第２のＲＦチェーンを再利用して、前記第２のＲＦチェーンを使用することによって、前記ＭＣＣ可能ネットワークより高い優先度を有するホーム公衆地上移動体通信網（ＨＰＬＭＮ）を走査するように前記無線通信装置を制御し、前記ＭＣＣ可能ネットワークが前記ホームＰＬＭＮ以外のローミングネットワークを含む、請求項１２に記載の無線通信装置。
【請求項１６】
前記処理回路が、前記第１のＲＦチェーンを使用して前記第１のコンポーネントキャリアを介した前記ＭＣＣ可能ネットワークのサービングセルへの接続を経てアクティブな通信セッションをサポートしながら、前記第２のＲＦチェーンを再利用して、前記第２のＲＦチェーンを使用することによって、ターゲットセルの並列測定を実行するように前記無線通信装置を制御する、請求項１２に記載の無線通信装置。
【請求項１７】
前記処理回路は、
前記サービングセルの信号品質が閾値信号品質未満に低下したかを判定するように前記無線通信装置を制御するように更に構成され、
前記処理回路は、（ｉ）前記不活性化メッセージを前記ＭＣＣ可能ネットワークに送信し、（ｉｉ）前記第２のＲＦチェーンを使用して、前記サービングセルの前記信号品質が前記閾値信号品質未満に低下したことに応じて前記ターゲットセルの並列測定を実行するように、前記無線通信装置を制御するように構成されている、請求項１６に記載の無線通信装置。
【請求項１８】
前記処理回路が、前記第１のＲＦチェーンを使用して前記第１のコンポーネントキャリアを介した前記ＭＣＣ可能ネットワークのサービングセルへの接続を経てアクティブモードで動作する前記無線通信装置のアクティブな通信セッションをサポートしながら、前記第２のＲＦチェーンを再利用して、前記第２のＲＦチェーンを使用することによって、ターゲットセルの自律測定を実行し、前記ターゲットセルのシステム情報を取得するように前記無線通信装置を制御する、請求項１２に記載の無線通信装置。
【請求項１９】
前記ターゲットセルが、閉加入者グループ（ＣＳＧ）セルである、請求項１８に記載の無線通信装置。
【請求項２０】
キャリアアグリゲーション可能無線通信装置において無線周波数（ＲＦ）チェーンを管理するコンピュータプログラム製品であって、コンピュータプログラムコードを内部に格納する、少なくとも１つの永続的コンピュータ可読記憶媒体を備え、前記コンピュータプログラムコードが、
第１のコンポーネントキャリアに関連付けられた第１のＲＦチェーンと、第２のコンポーネントキャリアに関連付けられた第２のＲＦチェーンとを使用して、多重コンポーネントキャリア（ＭＣＣ）可能ネットワークへの接続をサポートするためのプログラムコードと、
前記第２のコンポーネントキャリアの不活性化をトリガするように構成された不活性化メッセージをフォーマットするためのプログラムコードと、
前記不活性化メッセージを前記ＭＣＣ可能ネットワークに送信して前記第２のコンポーネントキャリアの不活性化をトリガするためのプログラムコードと、
前記不活性化メッセージを送信した後で、前記第２のコンポーネントキャリアを介した前記ＭＣＣ可能ネットワークへの前記接続をサポートする前記第２のＲＦチェーンの使用を中止するためのプログラムコードと、
を含む、コンピュータプログラム製品。
【国際調査報告】
2015526934.tif 000018
2015526934.tif 000019
2015526934.tif 000020